(57)【特許請求の範囲】
【請求項１】
判定条件の成立に起因して遊技の当否判定を行う当否判定手段と、
当否判定手段の当否判定結果に基づいて識別情報を変動表示後に確定表示させる表示装置と、
前記識別情報の変動表示中に前記表示装置で表示する演出パターンを複数の演出パターンの中から選択する演出パターン選択手段と、
前記表示装置に表示される前記演出パターンの背景を設定する背景設定手段と、
前記演出パターン選択手段によって選択された前記演出パターンと前記背景設定手段によって設定された前記背景とを前記表示装置に表示する表示手段と、
前記当否判定手段による当否判定結果が当たりになったことに起因して特別遊技を実行する特別遊技実行手段と、
前記当否判定手段による当否判定結果が当たりになったことに起因して前記特別遊技終了後の遊技状態が通常遊技状態となるか或いは前記通常遊技状態よりも前記特別遊技が実行されやすい特典遊技状態となるかを判定する特典遊技判定手段と、を備えた遊技機において、
前記背景設定手段は、前記特典遊技判定手段の判定結果に関わらず、前記特別遊技終了後に前記背景を通常背景から一旦前記通常背景とは異なる特殊背景に設定する特殊背景設定手段を備え、
前記複数の演出パターンの中には、前記特典遊技判定手段によって前記特典遊技状態になると判定されたことで選択可能となる複数の特典演出パターンと、前記通常遊技状態になると判定されたことで選択可能となる複数の通常演出パターンとを含み、
前記複数の通常演出パターンの中には、前記複数の特典演出パターンの中の少なくとも一の特典演出パターンと共通の演出からなる共通演出パターンと、前記特典演出パターン及び共通演出パターンとは異なる非共通演出パターンとを含み、
前記背景設定手段は、前記特殊背景設定手段によって前記特殊背景に設定されているときに、前記演出パターン選択手段によって前記特典演出パターン或いは前記共通演出パターンが選択された場合は、前記特典演出パターン或いは前記共通演出パターンが表示される前記識別情報の変動表示中、前記特殊背景の設定を維持し続ける一方、前記特殊背景設定手段によって前記特殊背景に設定されているときに、前記演出パターン選択手段によって前記非共通演出パターンが選択された場合は、選択された前記非共通演出パターンが表示される前記識別情報の変動表示中に表示されている前記特殊背景を前記通常背景に戻すために前記特殊背景と前記通常背景を繋ぐ連結背景を設定する連結背景設定手段を備えたことを特徴とする遊技機。
【請求項２】
遊技の進行を制御する第一の制御基板と、前記第一の制御基板から送信される情報に基づいて前記表示装置の表示を制御する第二の制御基板と、を備え、
前記第一の制御基板は、前記特典遊技判定手段の判定結果に基づいて前記特別遊技後の前記遊技状態を前記通常遊技状態或いは前記特典遊技状態の何れかに制御し、前記遊技状態を前記通常遊技状態或いは前記特典遊技状態の何れかに制御することに伴って遊技状態情報を前記第二の制御基板に送信する遊技状態情報送信手段を備え、
前記第二の制御基板は、受信した前記遊技状態情報に基づいて前記遊技状態が前記通常遊技状態或いは前記特典遊技状態の何れに制御されたかを認識する一方、前記背景設定手段によって前記表示装置で表示する前記背景を設定するように構成され、
前記背景設定手段における前記特殊背景設定手段は、受信した前記遊技状態情報に関連なく前記特殊背景を設定する一方、前記連結背景設定手段は、受信した前記遊技状態情報に関連して前記連結背景を設定するように構成されたことを特徴とする請求項１に記載の遊技機。
【請求項３】
前記第一の制御基板は、前記通常遊技状態或いは前記特典遊技状態の何れかに制御された前記遊技状態に基づいて前記演出パターンを選択する前記演出パターン選択手段を備えると共に、前記演出パターン選択手段によって選択された前記演出パターンを前記第二の制御基板に送信するように構成され、
前記第二の制御基板は、前記表示手段を制御することで受信した前記演出パターンと前記背景設定手段によって設定された前記背景とを合わせて前記表示装置に表示するように構成したことを特徴とする請求項２に記載の遊技機。
【発明の詳細な説明】
【技術分野】
【０００１】
本発明は、遊技状態に応じて表示装置で演出が行われる遊技機に関する。
【背景技術】
【０００２】
従来のパチンコ遊技機では、大当たり遊技（特別遊技）の実行後、遊技状態を通常遊技状態（大当たりの確率が低確率状態）あるいは確率変動状態（大当たりの確率が高確率状態）とする遊技機において、大当たり遊技終了後に演出パターンと共に表示される表示装置の背景（演出モード）を、通常背景（通常モード）から遊技状態を通常遊技状態か確率変動状態か特定不能にする特殊背景（特別モード）に制御するように構成されたものがある。
【０００３】
更に、特殊背景（特別モード）が終了して通常背景（通常モード）に制御された後に、再び特殊背景（特別モード）に制御され得るものとすることで、遊技者の確率変動状態に対する期待感を持続させ、特殊背景（特別モード）から制御された通常背景（通常モード）の演出に遊技者を注目させて遊技の趣向性を高めるようにした遊技機がある。
【先行技術文献】
【特許文献】
【０００４】
【特許文献１】特開２０１０−１６２２９５号公報
【発明の概要】
【発明が解決しようとする課題】
【０００５】
しかしながら、従来の遊技機では、表示装置に背景（演出モード）と演出パターンが組み合わされて表示されることで、例えば、演出パターンは遊技状態に基づいて設定されるが、背景（演出モード）に関しては遊技状態に関係なく設定されてしまう場合に、背景（演出モード）を通常背景（通常モード）から特殊背景（特別モード）に変更したり、特殊背景（特別モード）から通常背景（通常モード）に変更することによって、背景（演出モード）と演出パターンとの間で齟齬を生じ、組み合わされて表示される背景（演出モード）と演出パターンとの演出効果が損なわれるおそれがあった。
【課題を解決するための手段】
【０００６】
本発明は、前記の点に鑑みなされたものであって、遊技状態に関係なく背景が設定されたことで遊技状態に基づいて設定された演出パターンとの間で齟齬が生じた場合においても、演出効果を損なうことなく背景と演出パターンを表示することが可能な遊技機の提供を目的とする。
【０００７】
請求項１の発明は、判定条件の成立に起因して遊技の当否判定を行う当否判定手段と、当否判定手段の当否判定結果に基づいて識別情報を変動表示後に確定表示させる表示装置と、前記識別情報の変動表示中に前記表示装置で表示する演出パターンを複数の演出パターンの中から選択する演出パターン選択手段と、前記表示装置に表示される前記演出パターンの背景を設定する背景設定手段と、前記演出パターン選択手段によって選択された前記演出パターンと前記背景設定手段によって設定された前記背景とを前記表示装置に表示する表示手段と、前記当否判定手段による当否判定結果が当たりになったことに起因して特別遊技を実行する特別遊技実行手段と、前記当否判定手段による当否判定結果が当たりになったことに起因して前記特別遊技終了後の遊技状態が通常遊技状態となるか或いは前記通常遊技状態よりも前記特別遊技が実行されやすい特典遊技状態となるかを判定する特典遊技判定手段と、を備えた遊技機において、前記背景設定手段は、前記特典遊技判定手段の判定結果に関わらず、前記特別遊技終了後に前記背景を通常背景から一旦前記通常背景とは異なる特殊背景に設定する特殊背景設定手段を備え、前記複数の演出パターンの中には、前記特典遊技判定手段によって前記特典遊技状態になると判定されたことで選択可能となる複数の特典演出パターンと、前記通常遊技状態になると判定されたことで選択可能となる複数の通常演出パターンとを含み、前記複数の通常演出パターンの中には、前記複数の特典演出パターンの中の少なくとも一の特典演出パターンと共通の演出からなる共通演出パターンと、前記特典演出パターン及び共通演出パターンとは異なる非共通演出パターンとを含み、前記背景設定手段は、前記特殊背景設定手段によって前記特殊背景に設定されているときに、前記演出パターン選択手段によって前記特典演出パターン或いは前記共通演出パターンが選択された場合は、前記特典演出パターン或いは前記共通演出パターンが表示される前記識別情報の変動表示中、前記特殊背景の設定を維持し続ける一方、前記特殊背景設定手段によって前記特殊背景に設定されているときに、前記演出パターン選択手段によって前記非共通演出パターンが選択された場合は、選択された前記非共通演出パターンが表示される前記識別情報の変動表示中に表示されている前記特殊背景を前記通常背景に戻すために前記特殊背景と前記通常背景を繋ぐ連結背景を設定する連結背景設定手段を備えたことを特徴とする。
【０００８】
請求項２の発明は、請求項１において、遊技の進行を制御する第一の制御基板と、前記第一の制御基板から送信される情報に基づいて前記表示装置の表示を制御する第二の制御基板と、を備え、前記第一の制御基板は、前記特典遊技判定手段の判定結果に基づいて前記特別遊技後の前記遊技状態を前記通常遊技状態或いは前記特典遊技状態の何れかに制御し、前記遊技状態を前記通常遊技状態或いは前記特典遊技状態の何れかに制御することに伴って遊技状態情報を前記第二の制御基板に送信する遊技状態情報送信手段を備え、前記第二の制御基板は、受信した前記遊技状態情報に基づいて前記遊技状態が前記通常遊技状態或いは前記特典遊技状態の何れに制御されたかを認識する一方、前記背景設定手段によって前記表示装置で表示する前記背景を設定するように構成され、前記背景設定手段における前記特殊背景設定手段は、受信した前記遊技状態情報に関連なく前記特殊背景を設定する一方、前記連結背景設定手段は、受信した前記遊技状態情報に関連して前記連結背景を設定するように構成されたことを特徴とする。
【０００９】
請求項３の発明は、請求項２において、前記第一の制御基板は、前記通常遊技状態或いは前記特典遊技状態の何れかに制御された前記遊技状態に基づいて前記演出パターンを選択する前記演出パターン選択手段を備えると共に、前記演出パターン選択手段によって選択された前記演出パターンを前記第二の制御基板に送信するように構成され、前記第二の制御基板は、前記表示手段を制御することで受信した前記演出パターンと前記背景設定手段によって設定された前記背景とを合わせて前記表示装置に表示するように構成したことを特徴とする。
【発明の効果】
【００１０】
請求項１の発明によれば、選択された演出パターンに応じて背景を変更するこが可能なため、演出パターンと背景との間に齟齬を生じるのを抑えることができ、演出効果を高めることが可能である。さらに、特殊背景が設定されているときに通常演出パターンが選択された場合でも、通常演出パターンが表示される識別情報の変動変動中に連結背景を表示することで違和感なく特殊背景から通常背景に戻することが可能となり、演出効果を一層高めることができる。
【００１１】
請求項２の発明によれば、第二の制御基板では特殊背景設定手段によって遊技状態情報に関連なく特殊背景が設定されるため、第一の制御基板によって通常遊技状態に制御された場合でも特殊背景に設定されるが、受信した遊技状態情報により第二の制御基板でも遊技状態を認識しているため、連結背景設定手段によって遊技状態情報に関連した連結背景を表示することが可能となる。
【００１２】
請求項３の発明によれば、受信した演出パターンと設定された背景とを合わせて表示装置に表示することで、演出パターンと背景との組み合わせにより表示態様のバリエーションを増やすことが可能となる。
【図面の簡単な説明】
【００１３】
【図１】本発明の一実施例に係る遊技機の正面図である。
【図２】同遊技機の裏側を示す図である。
【図３】同遊技機の制御基板や装置等の接続を示すブロック図である。
【図４】同遊技機における主制御基板が行うメイン処理のフローチャートである。
【図５】同メイン処理用割り込み処理のフローチャートである。
【図６】始動入賞口スイッチ検出処理のフローチャートである。
【図７】ゲート通過処理のフローチャートである。
【図８】普通動作処理のフローチャートである。
【図９】特別動作処理のフローチャートである。
【図１０】特別図柄待機処理のフローチャートである。
【図１１】特別図柄大当たり判定処理のフローチャートである。
【図１２】特別図柄選択処理のフローチャートである。
【図１３】特別図柄変動態様選択処理の第１フローチャートである。
【図１４】特別図柄変動態様選択処理の第２フローチャートである。
【図１５】特別図柄乱数シフト処理のフローチャートである。
【図１６】特別図柄変動開始設定処理のフローチャートである。
【図１７】特別図柄変動処理のフローチャートである。
【図１８】特別図柄確定処理のフローチャートである。
【図１９】大当たり開始処理のフローチャートである。
【図２０】大入賞口動作Ａ設定処理のフローチャートである。
【図２１】ラウンド回数Ａ設定処理のフローチャートである。
【図２２】大当たり大入賞口開放処理のフローチャートである。
【図２３】大入賞口スイッチ検出Ａ処理のフローチャートである。
【図２４】大入賞口開閉設定処理のフローチャートである。
【図２５】大当たり大入賞口閉鎖１処理のフローチャートである。
【図２６】大当たり大入賞口閉鎖２処理のフローチャートである。
【図２７】大入賞口動作Ｂ設定処理のフローチャートである。
【図２８】ラウンド回数Ｂ設定処理のフローチャートである。
【図２９】大当たり終了処理のフローチャートである。
【図３０】小当たり開始処理のフローチャートである。
【図３１】大入賞口動作Ｃ設定処理のフローチャートである。
【図３２】小当たり大入賞口開放処理のフローチャートである。
【図３３】大入賞口スイッチ検出Ｂ処理のフローチャートである。
【図３４】小当たり大入賞口閉鎖処理のフローチャートである。
【図３５】小当たり終了処理のフローチャートである。
【図３６】保留球数処理のフローチャートである。
【図３７】電源断監視処理のフローチャートである。
【図３８】サブ制御メイン処理のフローチャートである。
【図３９】外部ＩＮＴ割り込み処理のフローチャートである。
【図４０】２ｍｓタイマ割り込み処理のフローチャートである。
【図４１】１０ｍｓタイマ割り込み処理のフローチャートである。
【図４２】受信コマンド解析処理のフローチャートである。
【図４３】背景設定処理のフローチャートである。
【図４４】背景変更処理のフローチャートである。
【図４５】表示図柄設定処理のフローチャートである。
【図４６】表示装置に表示される背景例１を示す図である。
【図４７】表示装置に表示される背景例２を示す図である。
【図４８】表示装置に表示される背景例３を示す図である。
【図４９】表示装置に表示される背景例４を示す図である。
【図５０】表示装置に表示される背景例５（比較例）を示す図である。
【発明を実施するための形態】
【００１４】
以下、添付の図面に基づき本発明の実施形態を説明する。図１に示す遊技機１は、遊技媒体として遊技球を用いるパチンコ遊技機であって、遊技盤２の縁に外レール３及び内レール４が略円形に配置され、前記外レール３及び内レール４によって区画された遊技領域６が前記遊技盤２上に設けられている。前記遊技領域６は遊技球が流下可能な領域であって、流下する遊技球を誘導する誘導釘（図示せず）が遊技盤２の表面に設けられている。また、遊技機１の前面側には、装飾ランプ３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を前記遊技領域６へ向けて弾発発射するための発射装置６４、遊技者による操作可能な遊技ボタンスイッチ６７が設けられている。図１における符号Ｗ１は遊技機の外枠、Ｗ２は外枠Ｗ１に取り付けられた前枠、Ｇ１は前枠Ｗ２に開閉可能にヒンジで取り付けられたガラス枠である。以下、遊技機１の主要な部分について説明する。
【００１５】
前記遊技盤２の遊技領域６には、中心線上の上部から下部に向かって順に表示装置１０、上側始動入賞口４１、下側始動入賞口４２、アウト口４８が配置されている。また、前記表示装置１０の左には風車７６が設けられ、前記上側始動入賞口４１及び下側始動入賞口４２の左には左袖第１入賞口５１、左袖第２入賞口５２及び左落とし入賞口５３が上から順に配置されている。一方、前記表示装置１０の右方向下側には普通図柄変動開始用ゲート５５が配置され、また、前記下側始動入賞口４２の右には大入賞口４５と右落とし入賞口５４が配置されている。前記上側始動入賞口４１、下側始動入賞口４２、大入賞口４５、左袖第１入賞口５１、左袖第２入賞口５２、左落とし入賞口５３、右落とし入賞口５４は、前記遊技領域６を流下する遊技球が入賞（入球）可能な複数の入賞装置に相当する。前記の各入賞口（入賞装置）に遊技球が入賞（入球）して入賞（入球）が検出されると１入賞球の検出に対して所定個数の賞品球（遊技球）が遊技者に払い出される。前記１入賞球の検出に対する賞品球の払出個数は、前記入賞口毎に設定されている。
【００１６】
前記表示装置１０は図柄等の画像が表示可能なものであって、液晶，ドットマトリックス若しくはＬＥＤ表示装置等の画像表示装置からなる。本実施例では、液晶表示器（ＴＦＴ−ＬＣＤモジュール）で構成されている。前記表示装置１０は、当否判定手段による当否判定結果を表す識別情報を表示可能なものであり、複数の識別情報を変動態様にしたがって所定時間変動表示した後に停止表示可能となっている。複数の識別情報は当否判定結果を識別可能なものであり、本実施例では特別図柄（判定図柄）で構成されている。
【００１７】
前記表示装置１０では、左右に並ぶ左特別図柄（左判定図柄）と中特別図柄（中判定図柄）と右特別図柄（右判定図柄）がそれぞれ変動表示し、所定時間変動表示した後、当否判定結果に基づき左特別図柄、中特別図柄、右特別図柄が確定停止特別図柄（確定停止判定図柄）として停止表示される。また、前記表示装置１０には、背景画像や背景画像に被さるように背景画像の前でキャラクターや文字等が表示されることもあり、該背景画像が特別図柄の変動開始等の所定条件に起因して変動表示可能となっていてもよい。
【００１８】
この実施例において変動および停止表示される左特別図柄、中特別図柄、右特別図柄は、それぞれ『０，１，２，３，４，５，６，７，８，９，１０，１１』の１２通りの図柄とされている。本実施例では、遊技の当否判定結果が大当たりの場合には、前記表示装置１０に大当たりの特別図柄組合せ、この例では『０，０，０』（いわゆる‘０’のぞろ目）や『１，１，１』（いわゆる‘１’のぞろ目）等、同一数字の組合せで特別図柄が停止表示される。また、遊技の当否判定結果が小当たりの場合には、前記特別図柄が前記ぞろ目とはならず『１，５，３』で停止表示される。大当たりの場合には、遊技者に有利な特別遊技（大当たり遊技）が実行され、一方、小当たりの場合には小当たり遊技が実行される。なお、遊技の当否判定結果が外れ（大当たり及び小当たり以外）の場合には、特別図柄が、ぞろ目以外の組み合わせで表示装置１０に停止表示される。前記小当たりの場合に表示装置１０に停止表示される特別図柄の組み合わせ『１，５，３』は、外れの場合に停止表示される特別図柄の組み合わせに含まれており、停止特別図柄の組み合わせからは、小当たりか外れか判別不明になっている。
【００１９】
また、本実施例では、前記表示装置１０内の左下部は普通図柄表示装置５０で構成されている。前記普通図柄表示装置５０は、液晶、ドットマトリックス若しくはＬＥＤ表示装置等の表示装置からなる。本実施例の普通図柄表示装置５０は、ＬＥＤ表示装置からなる。本実施例における普通図柄表示装置５０に変動及び停止表示される普通図柄は『○』，『×』の２種類からなる。普通図柄当たりの場合には、前記普通図柄表示装置５０に『○』の普通図柄が停止表示され、外れの場合には『×』が表示される。
【００２０】
前記上側始動入賞口４１は、上方が開口した形状からなって遊技球が上方から入球（入賞）可能となっている。一方、前記下側始動入賞口４２は２つの可動片４２ａ，４２ｂを備え、２つの可動片４２ａ，４２ｂの先端間が遊技球の入球可能領域とされ、前記可動片４２ａ，４２ｂが背面の始動入賞口用ソレノイドにより略垂直にされて入球（入賞）のし難い入球可能領域狭小状態と、略Ｖ字形（逆ハの字形）に拡開されて入球（入賞）のし易い入球可能領域拡大状態間を変化可能に制御されている。前記下側始動入賞口４２の可動片４２ａ，４２ｂの拡開は、前記普通図柄表示装置５０で普通図柄が変動した後に、当たり普通図柄、本実施例では『○』の普通図柄で停止表示して普通図柄当たりが成立した時に行われる。
【００２１】
前記遊技盤２の裏側には、前記上側始動入賞口４１に入賞（入球）した遊技球を検出する上側始動入賞口検出スイッチ（上側始動入賞口センサ）と、前記下側始動入賞口４２に入賞（入球）した遊技球を検出する下側始動入賞口検出スイッチ（下側始動入賞口センサ）が設けられている。本実施例では、前記上側始動入賞口検出スイッチあるいは下側始動入賞口検出スイッチによる入賞球の検出が、乱数値の取得の起因および前記特別図柄の変動表示開始の起因とされ、さらには、当否判定条件の成立に設定されている。
【００２２】
また、本実施例では、前記上側始動入賞口４１あるいは下側始動入賞口４２に入賞して前記上側始動入賞口検出スイッチ（上側始動入賞口センサ）あるいは前記下側始動入賞口検出スイッチで検出された遊技球検出数（始動入賞口入賞球数）を、予め設定された設定数まで特別図柄保留球数として記憶し、前記表示装置１０における特別図柄の変動表示を一旦保留して順次特別図柄の変動表示が開始されることにより、あるいは当否判定結果の判定結果を表示する特別図柄が前記表示装置１０で停止表示されることにより、記憶されている特別図柄保留球数の数を減らすように構成されている。前記上側始動入賞口４１及び下側始動入賞口４２への入賞に対する記憶は、前記表示装置１０で現在変動中の記憶を含まず、最高４個に設定されている。
【００２３】
なお、前記始動入賞口検出スイッチ（上側始動入賞口検出スイッチ、下側始動入賞口検出スイッチ）による遊技球検出数が最大個数（本実施例では４個）まで記憶されている時には、前記始動入賞口検出スイッチがそれ以上入賞遊技球を検出しても、特別図柄保留球数としては記憶されない無効球（オーバーフロー入賞球）とされ、その無効球については当否判定及び特別図柄の変動を行うことなく、入賞に対する賞球遊技球が所定数払い出される。
【００２４】
前記普通図柄変動開始用ゲート５５は、前記遊技盤２の背面に設けられた普通図柄変動開始スイッチで普通図柄変動開始用ゲート５５を通過する遊技球を検出することによって前記普通図柄表示装置５０で普通図柄の変動を開始させるようになっている。また、前記普通図柄変動開始用ゲート５５を遊技球が通過することによって発生する普通図柄の変動を、前記普通図柄変動装置５０における現在変動中の記憶を含めず最高４個普通図柄保留球数として記憶し、普通図柄の変動開始により普通図柄保留球数を減らすようになっている。
【００２５】
また、前記遊技盤２の背面には、前記左袖第１入賞口５１の入賞球を検出する左袖第１入賞口用検出スイッチ、前記左袖第２入賞口５２の入賞球を検出する左袖第２入賞口用検出スイッチ、前記左落とし入賞口５３及び右落とし入賞口５４の入賞球を検出する左落とし入賞口用検出スイッチ及び右落とし入賞口用検出スイッチが設けられている。
【００２６】
前記大入賞口４５は、前記遊技盤２の背面に設けられた大入賞口開放用ソレノイドによって開閉する開閉板４６を備えている。前記大入賞口４５は、通常は開閉板４６が閉じた状態とされる。前記大入賞口４５内には、大入賞口４５に入賞した入賞球を検出する大入賞口スイッチ（カウントセンサ）が設けられている。前記大入賞口４５は、大当たりの場合に行われる特別遊技（大当たり遊技）において及び小当たりの場合に行われる小当たり遊技において、前記開閉板４６が開いて大入賞口４５が開放され、遊技球が大入賞口４５へ入賞可能になる。特別遊技（大当たり遊技）及び小当たり遊技の詳細については後述する。
【００２７】
前記上側始動入賞口検出スイッチ、下側始動入賞口検出スイッチ、左袖第１入賞口用検出スイッチ、左袖第２入賞口用検出スイッチ、左落とし入賞口用検出スイッチ、右落とし入賞口用検出スイッチ、大入賞口スイッチ（カウントセンサ）は、入賞装置に入賞した遊技球を検出する入賞検出手段に相当する。
【００２８】
前記発射装置６４は、操作レバー６５の操作により駆動する発射モータを裏側に有し、該発射モータの駆動により遊技球を弾発発射するようになっている。前記発射装置６４により発射された発射球は、前記遊技盤面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４８から遊技盤２の裏側へ排出される。
【００２９】
前記遊技機１の裏側には、図２に示すように、遊技を制御するための複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２０６はＲＡＭクリアスイッチ、２６５は外部端子、２８１は払出装置（賞球と貸球の払出装置）、２８３は球無しスイッチ（賞球・球貸し兼用）、２８５はカードインターフェース接続部、２８９は球貯留タンク、２９１は球誘導樋である。なお各制御基板には制御回路が設けられている。前記ＲＡＭクリアスイッチ２０６は、主制御基板２００のＲＡＭについてのみ初期化を行わせることができる。また、各制御基板は、単独でまたは複数まとめてケースに収納された状態で遊技機１の裏側に配置されている。主な制御基板を、図３のブロック図を用いて簡略に示す。
【００３０】
主制御基板２００は、遊技の進行の制御をする制御手段であり、第一の制御基板に相当する。前記主制御基板２００には、ＣＰＵ、ＲＡＭ、ＲＯＭおよび複数のカウンタを備えたマイクロコンピュータを少なくとも備え、サブ制御基板２０５及び払出制御基板２４０と接続され、また中継回路を介して上側始動入賞口４１、下側始動入賞口４２及び大入賞口４５等と接続されている。前記主制御基板２００は電源基板２５０から電源供給を受けて作動する。
【００３１】
前記主制御基板２００におけるＣＰＵは、制御部、演算部、各種カウンタ、各種レジスタ，各種フラグ等を備え、演算制御を行う他、乱数値も生成し、また指令信号（制御信号あるいはコマンドとも称される）を接続されているサブ制御基板２０５や装置等へ出力（送信）可能に構成されている。前記主制御基板２００のＣＰＵは制御プログラムを実行して遊技に関わる主制御を行う。
【００３２】
前記主制御基板（第一の制御基板）は、特別遊技（大当たり遊技）終了後の遊技状態を、大当たりの確率が通常確率（低確率）の通常遊技状態とするか、大当たりの確率が高確率の特典遊技状態（確変遊技状態）とするかを判定する特典遊技判定手段を備え、特典判定手段の判定結果に基づいて前記特別遊技終了後の遊技状態を通常遊技状態あるいは特典遊技状態の何れかに制御し、遊技状態情報をサブ制御（第二の制御基板）に送信する遊技状態情報送信手段を備える。
【００３３】
前記主制御基板（第一の制御基板）は、通常遊技状態あるいは特典遊技状態の何れかに制御された遊技状態に基づいて演出パターンを選択する演出パターン選択手段を備え、演出パターン選択手段によって選択された演出パターンをサブ制御基板（第二の制御基板）に送信するように構成されている。前記演出パターンは、前記表示装置１０において前記特別図柄（識別情報）の変動表示中に表示する変動態様、例えば特別図柄の変動表示態様が設定されたものである。演出パターンは複数設けられ、特典遊技判定手段によって特典遊技状態になると判定されたことで選択可能となる複数の特典演出パターンと、通常遊技状態になると判定されたことで選択可能となる複数の通常演出パターンとが含まれている。さらに、複数の通常演出パターンの中には、複数の特典演出パターンの中の少なくとも一つの特典演出パターンと共通（同一）の演出からなる共通演出パターンと、特典演出パターン及び共通演出の何れとも異なる非共通演出パターンとが含まれている。演出パターンの例及び選択については後述する。
【００３４】
前記主制御基板２００から出力される指令信号（コマンド）には、上側始動入賞口４１及び下側始動入賞口４２への入賞時に出力される入賞コマンド、特別図柄の変動コマンド（変動態様コマンド、変動開始コマンド、変動停止コマンド）、大当たりコマンド、小当たりコマンド、外れコマンド、大当たり・小当たりオープニングコマンド、大当たりラウンド時等のデータ、前記表示装置１０に表示させる待ち受け画面等の表示態様を含めたコマンド、普通図柄当たりに関するデータ、電源投入時、異常時を挙げることができる。また、主制御基板２００が前記表示装置１０の制御に関して出力する指令信号に基づいて、サブ制御基板２０５が前記表示装置１０に表示する内容等を設定した後、表示制御基板２１０に出力することで前記表示装置１０の表示を制御する。前記表示制御基板は、前記表示装置１０に演出パターンと背景を表示する表示手段の処理に相当する。
【００３５】
前記ＲＡＭは、前記上側始動入賞口検出スイッチ及び下側始動入賞口検出スイッチで検出された遊技球の特別図柄保留球数の記憶領域、普通図柄変動開始スイッチで検出された遊技球の普通図柄保留球数の記憶領域、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。
【００３６】
前記ＲＯＭは、前記ＣＰＵのための制御プログラムや制御データ、前記表示装置１０での変動表示に関する変動態様や図柄データ、演出時間等のデータが書き込まれている他、大当たり、普通図柄当たりの判定値等が書き込まれている。
【００３７】
サブ制御基板２０５は、前記主制御基板２００と接続されて主制御基板２００から指令信号（コマンド）を受信可能に構成されると共に、前記表示制御基板２１０と接続されて表示装置１０を制御可能に構成されている。前記サブ制御基板２０５は、前記主制御基板（第一の制御基板）２０５から送信される遊技状態情報に基づいて前記表示制御基板２１０を制御する第二の制御基板に相当する。
【００３８】
前記サブ制御基板２０５は、前記表示装置１０に表示される前記演出パターンの背景を設定する背景手段を備える。背景設定手段は、（例えば、後述する時短遊技なしと判定された場合、又は時短遊技の有無に関係なく）前記特典遊技判定手段の判定結果に関わらず、大当たり遊技或いは小当たり遊技終了後に前記背景を通常背景（第一の背景）から一旦通常背景とは異なる特殊背景（第二の背景）に設定する特殊背景設定手段を備える。また、演出パターン選択手段は前記特典遊技判定手段の判定結果に基づいて演出パターンを選択するために主制御基板とサブ制御基板との表示態様の認識が異なることから、後述する図５０の背景例５のように背景と演出パターンとに齟齬が生じることで演出効果の低減が考えられるが、前記背景設定手段は、特殊背景設定手段によって特殊背景に設定されているときに、前記演出パターン選択手段によって特典演出パターン或いは共通演出パターンが選択された場合は、前記特典演出パターン或いは前記共通演出パターンが表示される前記特別図柄（識別情報）の変動表示中、前記表示装置１０で表示する背景として特殊背景の設定を維持し続ける一方、前記特殊背景設定手段によって前記表示装置１０で表示する背景として特殊背景に設定されているときに、前記演出パターン選択手段によって非共通演出パターンが選択された場合は、選択された非共通演出パターンが表示される特別図柄（識別情報）の変動表示中に表示されている特殊背景を通常背景に戻すために特殊背景と通常背景を繋ぐ連結背景を設定する連結背景設定手段を備えることで、この連結背景設定手段によって特別図柄の変動表示中に特殊背景を通常背景に違和感なく戻すことで主制御基板とサブ制御基板との表示態様の認識を合わせ、背景と演出パターンとの齟齬を無くすことが可能となる。
【００３９】
前記サブ制御基板（第二の制御基板）２０５は、前記主制御基板（第一の制御基板）２００から受信した前記演出パターンと前記背景設定手段によって設定された前記背景とを合わせて前記表示装置１０に表示する表示手段を備える。
前記サブ制御基板（第二の制御基板）２０５は、受信した遊技状態情報に基づいて前記遊技状態が前記通常遊技状態或いは前記特典遊技状態の何れに制御されたかを認識する一方、前記背景設定手段によって前記表示装置１０で表示する背景を設定するように構成され、前記背景設定手段における特殊背景設定手段は、受信した遊技状態情報に関連なく前記特殊背景を設定する一方、前記連結背景設定手段は、受信した遊技状態情報に関連して連結背景を設定するように構成されている。本実施例では、特殊背景に設定されるタイミングは、遊技状態の変化の起因となる大当り遊技の終了後或いは遊技状態の変化の起因とならない小当り遊技の終了後の何れかとなるため、遊技者に特殊背景は通常背景よりも特典遊技状態に制御されている可能性が高いと感じさせることが可能となり、実際に制御された遊技状態が通常遊技状態であったとしても一旦特殊背景に設定し、遊技者に遊技状態に関する期待感を持続させるように構成されている。
【００４０】
前記サブ制御基板２０５にはＣＰＵ、ＲＯＭ、ＲＡＭ、複数のカウンタを備えたマイクロコンピュータと、前記主制御基板２００とを結ぶ入出力回路と、表示制御基板２１０やランプ中継基板とを結ぶ入出力回路を備えている。前記サブ制御基板２０５は、前記主制御基板２００と共に遊技の制御を行う制御手段に相当し、前記主制御基板２００から出力された指令信号に従って遊技の制御を行う。本実施例ではサブ制御基板２０５はランプ制御基板を兼ねている。前記サブ制御基板２０５は、前記主制御基板２００から出力された指令信号を受信し、受信した指令信号に基づいて、ランプ中継基板や表示制御基板２１０へ信号を出力している。また、前記サブ制御基板２０５のＲＯＭは制御用のプログラムやデータ定数、前記表示装置１０で実行される演出等の情報が記憶され、また前記ＲＡＭは各種データの記憶領域とＣＰＵによる作業領域を有している。前記ランプ中継基板には装飾ランプ等のランプ装置３５が接続され、前記サブ制御基板２０５からランプ中継基板に送信された指令信号によって、ランプ装置３５の作動を制御する。前記サブ制御基板２０５は電源基板２５０から電源供給を受けて作動する。
【００４１】
表示制御基板２１０は、ＣＰＵ、ＲＯＭ、ＲＡＭを備えたマイクロコンピュータ、前記サブ制御基板（ランプ制御基板）２０５と結ぶ入出力回路、音声制御基板２２０と表示装置１０及び普通図柄表示装置５０と接続される入出力回路等で構成され、前記サブ制御基板２０５から出力される制御信号に基づいて、前記表示装置１０や普通図柄表示装置５０を制御する。前記表示制御基板２１０のＣＰＵは、内部に制御部、演算部、各種レジスタ、各種フラグ等を有し、演算制御を行うようになっている。また、前記表示制御基板２１０のＲＡＭは、各種データの記憶領域とＣＰＵによる作業領域等を有している。前記表示制御基板２１０のＲＯＭは、表示制御のための不変の情報、すなわち各種のプログラムや画像データ、定数等が記憶されている。
【００４２】
音声制御基板２２０は、前記表示制御基板２１０と電気的接続手段で接続され、前記表示制御基板２１０から出力される信号により音声信号を合成し、アンプに出力する。アンプは音声信号を増幅してスピーカ３８に出力する。
【００４３】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される指令信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００４４】
前記払出装置２８１は、払出モータの駆動によって回転する払出スクリューを備え、前記球誘導樋２９１から誘導されてきて払出装置２８１に至った遊技球を払出スクリューの羽根部分に乗せて払出スクリューが回転することにより徐々に下方へ移動させて遊技球の払い出しを行うように構成されている。前記球誘導樋２９１と払出装置２８１の間における遊技球の流路に遊技球の存否を検出する前記球無しスイッチ２８３が設けられている。前記払出装置２８１の球出口には、前記払出装置２８１から払い出された遊技球を検出する払出センサが設けられている。
【００４５】
電源基板２５０は、外部から供給される電源ＡＣ２４Ｖを遊技機の各部に必要な直流３４Ｖ、直流１２Ｖ、直流５Ｖ等の各電源に変換して各制御基板等へ供給する。
発射制御基板２６０は、前記発射装置６４における発射モータの制御を行う。
【００４６】
前記主制御基板２００に設けられる乱数用カウンタとして、大当たり乱数用カウンタ、大当たり図柄乱数用カウンタ、特典遊技乱数用カウンタ、時短遊技乱数用カウンタ、リーチ乱数用カウンタ、特別図柄データ乱数用カウンタ、変動態様乱数用カウンタ、普通図柄乱数用カウンタ等がある。
【００４７】
大当たり乱数用カウンタは、当否判定手段による大当たりと小当たりの判定、及び第一特別遊技と第二特別遊技の選択に用いられ、‘０’〜‘６２９’の乱数からなる。前記大当たり乱数用カウンタの乱数（大当たり乱数）は、遊技機の電源投入時に
‘０’から始まって後述の普通図柄・特別図柄主要乱数更新処理ごとに１加算され、‘６２９’に至ると次には‘０’にされて再び前記加算を繰り返すようになっている。大当たり乱数は前記上側始動入賞口４１あるいは下側始動入賞口４２への入賞に起因して取得され、その取得乱数値が低確率（１／３１５の確率）状態時（通常状態中）には大当たり成立数値として設定されている‘３’、‘３９７’の何れかと一致すれば大当たりとなり、一方高確率（６／３１５の確率）状態時（確変中）には、大当たり成立数値として設定されている‘３’、‘３９７’、‘３３’、‘５３’、‘５９’、‘１１３’、‘１７３’、‘２２７’、‘２８１’、‘３３７’、‘４４９’、‘５０３’の何れかと一致すれば大当たりとなる。さらに、大当たり成立数値‘３’は第一特別遊技成立数値としても設定され、一方、大当たり成立数値‘３９７’は第二特別遊技成立数値としても設定されている。従って、取得された大当たり乱数値が‘３’の場合には、低確率時及び高確率時において大当たりであると共に実行される特別遊技として第一特別遊技が選択され、また取得された大当たり乱数値が‘３９７’の場合には、低確率時及び高確率時において大当たりであると共に実行される特別遊技として第二特別遊技が選択される。一方、取得した大当たり乱数値が、小当たり成立数値として設定されている‘２２２’（１／６３０の確率）と一致すれば小当たりとなり、小当たり遊技が実行される。
【００４８】
大当たり図柄乱数用カウンタは、大当たりの当否判定結果が大当たりの場合に前記表示装置１０に確定停止する大当たり図柄組合せを決定するものであり、‘０’〜‘１１’の乱数からなる。この大当たり図柄乱数は、電源投入時に‘０’から始まって後述の普通図柄・特別図柄主要乱数更新処理ごとに１加算され、‘１１’に至ると次には‘０’に戻って再び前記加算を繰り返すようになっている。大当たり図柄乱数は前記上側始動入賞口４１又は下側始動入賞口４２への入賞に起因して取得される。前記大当たり図柄乱数には、当否判定結果が大当たりの場合に、前記表示装置１０で停止表示される大当たり図柄組合せが割り当てられている。本実施例では、大当たり図柄乱数が‘０’の場合には大当たり図柄組合せが‘０，０，０’となる０のぞろ目（全図柄同一）、‘１’の場合には大当たり図柄組合せが『１，１，１』となる１のぞろ目（全図柄同一）、‘２’の場合には『２，２，２』となる２のぞろ目、‘３’の場合には『３，３，３』となる３のぞろ目、‘４’の場合には『４，４，４』となる４のぞろ目、‘５’の場合には『５，５，５』となる５のぞろ目、‘６’の場合には『６，６，６』となる６のぞろ目、‘７’の場合には『７，７，７』となる７のぞろ目、‘８’の場合には『８，８，８』となる８のぞろ目、‘９’の場合には『９，９，９』となる９のぞろ目、‘１０’の場合には『１０，１０，１０』となる１０のぞろ目、‘１１’の場合には『１１，１１，１１』からなる大当たり図柄組合せが割り当てられている。
【００４９】
特典遊技乱数用カウンタは、特典遊技判定手段による特典遊技の判定に用いられ、‘０’〜‘９’の乱数からなる。前記特典遊技判定手段は、前記当否判定手段により大当たりと判定された場合に実行される。特典遊技乱数は、電源投入時に‘０’から始まって後述の普通図柄・特別図柄主要乱数更新処理ごとに１加算され、‘９’に至ると次には‘０’に戻って再び前記加算を繰り返すようになっている。特典遊技乱数は前記上側始動入賞口４１又は下側始動入賞口４２への入賞に起因して取得され、取得された特典遊技乱数値が、奇数の場合に特典遊技有りと判定され、偶数の場合に特典遊技無しと判定される。前記特典遊技有りと判定されると、特別遊技（大当たり遊技）終了後の遊技状態が通常遊技状態よりも遊技者に有利な特典遊技状態になり、次に大当たりの当否判定手段によって大当りと判定されるまで特典遊技状態が続く。通常遊技状態は前記低確率状態、特典遊技状態は前記高確率状態（確変状態）に設定されている。すなわち、前記大当たり乱数を用いる当否判定手段によって大当たりと判定され、さらに前記特典遊技乱数を用いる特典遊技判定手段によって特典遊技有りと判定されると、特別遊技（大当たり遊技）の終了後、次に当否判定によって大当りと判定されるまで、特典遊技状態（大当たりになる確率が前記高確率（６／３１５の確率））とされる。一方、特典遊技判定手段によって特典遊技無しと判定されると、特別遊技（大当たり遊技）の終了後、次に当否判定によって大当りと判定されるまで、通常遊技状態（大当たりの確率が前記低確率（１／３１５の確率））とされる。
【００５０】
また、確変（高確率）状態（特典遊技状態）になると、前記高確率（確変）状態（６／３１５の確率）になると共に前記下側始動入賞口４２の開放（拡開）時間が、低確率（通常遊技）状態の１秒から２秒に長くなり、かつ前記下側始動入賞口４２の開放（拡開）回数が低確率（通常遊技）状態の１回から３回に増え、さらに、普通図柄当たりの確率が低確率（通常遊技）状態の１／３００から１／５に増加する。
【００５１】
時短遊技乱数用カウンタは、時短遊技判定手段による時短遊技の判定に用いられ、‘０’〜‘９’の乱数からなる。時短遊技判定手段による時短遊技の判定は、前記当否判定手段により大当たりと判定された場合に実行される。時短遊技乱数は、電源投入時に‘０’から始まって後述の普通図柄・特別図柄主要乱数更新処理ごとに１加算され、‘９’に至ると次には‘０’に戻って再び前記加算を繰り返すようになっている。時短遊技乱数は前記上側始動入賞口４１又は下側始動入賞口４２への入賞に起因して取得され、取得された時短遊技乱数値が、奇数の場合に時短遊技有りと判定され、偶数の場合に時短遊技無しと判定される。時短遊技有りと判定されると、特別遊技（大当たり遊技）終了後の遊技状態が時短遊技状態に設定され、一方、時短遊技無しと判定されると、特別遊技（大当たり遊技）終了後の遊技状態が時短遊技無しの通常遊技状態に設定される。時短遊技状態では、前記普通図柄変動開始用ゲート５５を遊技球が通過することに起因する前記普通図柄表示装置５０における普通図柄の変動時間（変動開始から停止表示までの時間）が、時短無しの通常遊技状態における１０秒の変動時間から５秒の変動時間に短縮され、普通図柄の変動開始から停止による普通図柄当たりの判定結果報知までの時間が短くなる。
【００５２】
リーチ乱数用カウンタは、前記大当たり乱数による当否判定結果が外れとなる場合において、リーチ状態を経るか否かを決めるリーチ有無決定用のものであり、‘０’〜‘１２６’の乱数からなる。本実施例におけるリーチ状態は、前記表示装置１０で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。このリーチ乱数用カウンタの乱数（リーチ乱数）は、遊技機１の電源投入時に、‘０’から始まり、後述の普通図柄・特別図柄主要乱数更新処理ごとに１ずつ加算され、数値が‘１２６’に至ると、次に‘０’にされて再び前記加算を繰り返すようになっている。リーチ乱数は、前記上側始動入賞口４１あるいは下側始動入賞口４２への入賞に起因して取得され、当否判定結果が外れの場合に、取得リーチ乱数値が予め決定されているリーチ成立数値と対比されてリーチ有無が判断される。本実施例ではリーチ成立数値は、‘５’〜‘１５’に設定されている。
【００５３】
特別図柄データ乱数用カウンタは、前記大当たり乱数による当否判定結果が外れとなる場合において、前記表示装置１０に停止表示する外れの特別図柄組合せの決定に用いられるものであり、前記表示装置１０に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘１１’の乱数からなる。
【００５４】
前記特別図柄データ１の乱数は、電源投入時に、‘０’から始まって後述の普通図柄・特別図柄主要乱数更新処理ごとに ‘１’ずつ加算され、‘１１’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘１１’に至ると、次に‘０’に書き換えられて再び前記加算が繰り返される。さらに、前記特別図柄データ３の乱数は、電源投入時あるいはリセット処理後に‘０’から始まって、前記特別図柄データ２の乱数が‘０’に書き換えられる際に‘１’ずつ加算され、‘１１’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００５５】
前記特別図柄データ１〜３の各乱数は‘０’の場合には『０』、‘１’の場合には『１』、‘２’の場合には『２』というように、当否判定結果の外れ時に前記表示装置１０に停止表示される左特別図柄、中特別図柄、右特別図柄からなる識別情報が割り当てられている。前記特別図柄データ１〜３の乱数は、前記上側始動入賞口４１又は下側始動入賞口４２への入賞に起因して取得され、取得した特別図柄データ１〜３の乱数値の組合せによって、外れ時に前記表示装置１０に表示される左特別図柄、中特別図柄、右特別図柄からなる識別情報が定まる。
【００５６】
変動態様乱数用カウンタは、前記表示装置１０における特別図柄の変動中に表示装置１０で表示する変動態様（本発明の演出パターンに相当する）を、演出パターン選択手段によって変動態様テーブル（演出パターンテーブルに相当）から選択する際に用いられるものであり、‘０’〜‘１９８’の変動態様乱数を備える。選択される変動態様（演出パターン）には、特別図柄の変動表示態様が、特別図柄の変動時間と共に設定されている。変動態様乱数は、遊技機１の電源投入時に、‘０’から始まり、後述の普通図柄・特別図柄主要乱数更新処理ごとに１ずつ加算され、数値が‘１９８’に至ると、次に‘０’に戻って再び前記加算を繰り返すようになっている。前記変動態様乱数は、前記上側始動入賞口４１あるいは下側始動入賞口４２への入賞に起因して取得される。
【００５７】
変動態様テーブルは複数設けられている。各変動態様テーブルは、前記表示装置１０に表示する特別図柄の変動態様の複数で構成されており、前記主制御基板２００のＲＯＭに記憶されている。前記変動態様テーブルの選択は、本実施例では、当否判定結果が当たりか外れか、特典遊技の有無、及びリーチ有無に応じて行われる。複数の変動態様テーブルには、前記特典遊技判定手段による判定結果が特典遊技有り（現在の遊技状態が特典遊技状態）と判定されたことで選択可能となる特典変動態様テーブル（特典演出パターンテーブル）と、前記特典遊技判定手段による判定結果が特典遊技無し（現在の遊技状態が通常遊技状態）と判定されたことで選択可能となる通常変動態様テーブル（通常演出パターンテーブル）とが含まれる。
【００５８】
さらに、前記通常変動態様テーブル（通常演出パターンテーブル）には、共通変動態様テーブル（共通演出パターンテーブル）と非通変動態様テーブル（非共通演出パターンテーブル）とがある。
前記共通変動態様テーブル（共通演出パターンテーブル）は、特典変動態様テーブル（特典演出パターンテーブル）を構成する複数の特典変動態様（特典演出パターン）の少なくとも一つと共通（同一）の演出からなる共通変動態様（共通演出パターン）で構成されている。
一方、非通変動態様テーブル（非共通演出パターンテーブル）は、前記特典変動態様（特典演出パターン）及び前記共通変動態様（共通演出パターン）の何れとも異なる演出からなる非共通変動態様（非共通演出パターン）で構成されている。
【００５９】
選択された変動態様テーブルからの変動態様の選択は、本実施例では、取得した変動態様乱数値に基づいて１つの変動態様が選択されるようになっている。なお、変動態様テーブル内の各変動態様には変動態様乱数値が割り当てられており、取得した変動態様乱数値と対応する変動態様が選択されるように構成されている。
【００６０】
演出パターン選択手段によって選択された変動態様は、前記サブ制御基板２０５の前記背景設定手段によって設定された背景と組み合わされて前記表示装置１０で表示される。本実施例の前記背景には、通常背景（第一の背景）と前記通常背景とは異なる特殊背景（第二の背景）が少なくとも含まれ、更に背景のバリエーションを増やすために特別遊技終了後の遊技状態が時短遊技状態となる場合に設定される時短遊技専用背景（第三の背景）が備えられている。通常背景は、遊技機１の電源投入時の初期設定で通常背景に設定され、また、後述の背景変更抽選処理によって当たりとなった場合にも通常背景に戻される。一方、前記特殊背景は時短遊技判定手段によって時短遊技なしと判定された場合に、前記背景設定手段に設けられている特殊背景背設定手段によって特典遊技判定手段の判定結果（特典遊技状態或いは通常遊技状態）に関わらず大当たり遊技或いは小当り遊技終了後の背景に特殊背景が設定される。
【００６１】
なお、取得された大当たり乱数値、大当たり図柄乱数値、時短遊技乱数値、特典遊技乱数値、リーチ乱数値、変動態様乱数値については、それぞれ最大４個、前記主制御基板２００のＲＡＭにおける該当領域に前記特別図柄保留球数と対応させて格納され、順次使用される。
【００６２】
普通図柄乱数用カウンタは、普通図柄当たりを判定するもので、‘０’〜‘２９９’の普通図柄乱数を有し、遊技機１の電源投入時に、‘０’から始まって後述の普通図柄・特別図柄主要乱数更新処理ごとに
‘１’ずつ加算され、‘２９９’に至ると、次に‘０’に書き換えられて再び前記加算が繰り返される。この普通図柄乱数は、前記普通図柄変動開始用ゲート５５を通過した遊技球を前記普通図柄変動開始スイッチで検出するごとに取得され、最大４個まで前記主制御基板２００のＲＡＭの普通図柄乱数値記憶領域に格納される。前記普通図柄変動開始用ゲート５５を遊技球が通過することに起因して取得された普通図柄乱数の値が、低確率（通常遊技）状態時には普通図柄当たり成立数値として設定されている‘５’（１／３００の確率）と一致すれば普通図柄当たりとなり、一方、確変（高確率遊技）状態時には普通図柄当たり成立数値として設定されている‘１’〜‘５９’（１／５）の確率）と一致すれば普通図柄当たりとなる。普通図柄当たりの場合には『○』を普通図柄表示装置５０に表示し、前記下側始動入賞口４２を前記確変状態中か否かに対応した開放回数及び開放時間開放し、一方、取得した普通図柄乱数値が普通図柄当たり成立数値と一致しない場合には、普通図柄外れとなって『×』を普通図柄表示装置５０に表示し、前記下側始動入賞口４２を入賞の困難な状態のままとする。
【００６３】
ここで前記遊技機１の遊技について簡単に説明する。前記遊技機１では、遊技領域６へ向けて発射装置６４により発射された遊技球が、前記種々の入賞口に入賞すると入賞口に応じた所定数の遊技球が賞球として前記払出装置２８１から上側球受け皿３６に払い出される。また、前記普通図柄変動開始用ゲート５５を遊技球が通過すると、普通図柄保留球数が４未満であれば、普通図柄保留球数を１加算して普通図柄乱数値が取得され、前記主制御基板２００のＲＡＭに、最大４となるまで記憶される。そして、前記主制御基板２００のＲＡＭに記憶されている普通図柄保留球数が１以上であれば、記憶されている普通図柄乱数値に基づいて普通図柄当たりの判定が行われると共に、前記普通図柄表示装置５０で普通図柄が変動を開始し、所定時間変動後に停止する。その際、普通図柄当たりの判定結果が当たりの場合には、当たり普通図柄、この例では『○』で停止し、前記下側始動入賞口４２の２つの可動片４２ａ，４２ｂが背面の始動入賞口用ソレノイドによって略垂直で入賞困難な閉状態（通常状態）から略Ｖ字形（逆ハの字形）の入賞可能な開状態に変化する。前記下側始動入賞口４２に遊技球が入賞すると、所定数の遊技球が賞球として払い出される。なお、主制御基板２００のＲＡＭに記憶されている普通図柄保留球数が０の場合には、その後に前記普通図柄変動開始用ゲート５５を遊技球が通過して、前記主制御基板２００のＲＡＭに記憶されている普通図柄保留球数が１以上となるまで、前記小当たりの判定及び普通図柄の変動表示が行われない。
【００６４】
また、前記上側始動入賞口４１あるいは下側始動入賞口４２に遊技球が入賞すると、特別図柄保留球数が４未満であれば、特別図柄保留球数を１加算して、大当たり乱数値及び大当たり図柄乱数値、時短遊技乱数値、特典遊技乱数値、リーチ乱数値、変動態様乱数値等の乱数値を取得し、前記主制御基板２００のＲＡＭに、最大４となるまで記憶される。そして、前記主制御基板２００のＲＡＭに記憶されている特別図柄保留球数が１以上であれば、記憶されている大当たり乱数値に基づいて大当たりの当否判定、小当たりの当否判定が行われると共に、当否判定結果、特典遊技判定結果、リーチ有無判定結果、及び変動態様乱数値に基づいて変動態様テーブルから前記表示装置１０に表示する特別図柄の変動態様が選択される。そして選択された変動態様に基づいて前記表示装置１０で特別図柄が変動開始すると共に、設定されている背景が表示装置１０に表示される。なお、主制御基板２００のＲＡＭに記憶されている特別図柄保留球数が０の場合には、その後に前記上側始動入賞口４１あるいは下側始動入賞口４２に遊技球が入賞して、前記主制御基板２００のＲＡＭに記憶されている特別図柄保留球数が１以上となるまで、前記当否判定及び特別図柄の変動表示が行われない。
【００６５】
選択された変動態様に設定されている変動時間の経過（変動時間の終了）により、前記表示装置１０で特別図柄が停止表示される。当否判定結果が大当たり及び小当たりの何れでもない外れの場合には前記表示装置１０に左特別図柄、中特別図柄、右特別図柄が外れ図柄組み合わせ（ぞろ目以外の状態）で停止し、特別遊技（大当たり遊技）及び小当たり遊技に移行することがない。
一方、前記当否判定結果が大当たりの場合には、前記表示装置１０に左特別図柄、中特別図柄、右特別図柄が大当たり図柄組み合わせ（本実施例ではぞろ目）で停止し、特別遊技（大当たり遊技）に移行する。また、前記特典遊技乱数値に基づいて特典遊技有無（特典遊技状態となるか否か）が判定されると共に、前記時短遊技乱数値に基づいて時短遊技有無（時短遊技技状態となるか否か）が判定される。
前記当否判定結果が小当たりの場合には、前記表示装置１０に左特別図柄、中特別図柄、右特別図柄が、外れの場合と同じ『１，５，３』で停止表示され、小当たり遊技に移行する。
【００６６】
特別遊技は、前記大入賞口４５の開閉板４６が開いて大入賞口４５を開放し、前記大入賞口への遊技球の入賞を可能にするラウンド時間が設定されたラウンド状態と、前記開閉板４６が閉じて大入賞口４５を閉鎖することにより前記大入賞口４５への遊技球の入賞を困難とするインターバル時間が設定されたインターバル状態とを交互に所定ラウンド数、本実施例では１５ラウンド繰り返す。各ラウンド状態は、第一終了条件あるいは第二終了条件の何れかの成立により、前記開閉板４６が閉じて大入賞口４５が閉鎖され、当該ラウンド状態が終了して次のインターバル状態となる。第一終了条件は、前記ラウンド時間が経過するまでに前記大入賞口４５に所定数（例えば１０個）の遊技球が入賞せず、ラウンド時間の経過により終了条件が成立し、該当するラウンド状態が終了する。一方、第二終了条件は、前記ラウンド時間が経過する前に前記大入賞口４５に所定数（例えば１０個）の遊技球が入賞することで終了条件が成立し、該当するラウンド状態が終了する。
【００６７】
特典遊技有（特典遊技状態になる）と判定されると、特別遊技の終了後、次に大当たりの当否判定によって大当りと判定されるまで、大当たりの確率が高確率（本実施例では（６／３１５）に設定される。また、高確率状態（特典遊技状態）になると、前記下側始動入賞口４２の開放（拡開）時間が、低確率（通常遊技）状態の１秒から２秒に長くなり、かつ開放（拡開）回数が低確率（通常遊技）状態の１回から３回に増え、さらに、普通図柄当たりの確率が低確率（通常遊技）状態の１／３００から１／５に増加する。
一方、特典遊技無し（特典遊技状態にならない）と判定されると、次に大当たりの当否判定によって大当りと判定されるまで、大当たりの確率が低確率（本実施例では（１／３１５）に設定される。また、低確率状態（通常遊技状態）になると、前記下側始動入賞口４２の開放（拡開）時間が１秒、かつ開放（拡開）回数が１回、普通図柄当たりの確率が低確率（通常遊技）状態の１／３００に設定される。
【００６８】
また、本実施例では時短遊技有りと判定されると、特殊背景設定手段の処理が実行されずに特別遊技の終了後の遊技状態が時短遊技状態となり、特別遊技終了後の遊技状態が特典遊技状態の場合は、次に大当たりとなるまで普通図柄変動開始用ゲート５５を遊技球が通過することに起因する普通図柄の変動時間（変動開始から停止までの時間）が時短遊技無しの場合の１０秒から５秒に短縮される一方、特別遊技終了後の遊技状態が通常遊技状態の場合は、特別図柄の変動が１００回行われるまで、普通図柄変動開始用ゲート５５を遊技球が通過することに起因する普通図柄の変動時間（変動開始から停止までの時間）が時短遊技無しの場合の１０秒から５秒に短縮される。一方、時短遊技無しと判定されると、特別遊技終了後に時短遊技状態となることなく、時短無し遊技状態（通常遊技状態）となり、普通図柄の変動時間（変動開始から停止までの時間）が１０秒とされる。
【００６９】
前記小当たりの場合に実行される小当たり遊技は、前記大入賞口４５の開閉板４６が１回開いて大入賞口４５を開放し、前記大入賞口への遊技球の入賞を可能にする。本実施例では、前記大入賞口４５の開閉板４６が１．５秒間開いて大入賞口４５が１回開放される。
【００７０】
また、本実施例では前記特別図柄の変動中に前記表示装置１０に変動態様と共に表示される背景は変動態様に関連して設定される。図４６〜図４９に示す本実施例の背景例について示す。
図４６に示す背景例１は、通常背景が設定されている時に、通常変動態様（通常演出パターン）の中から非共通変動態様（非共通演出パターン）が選択された場合、前記表示装置１０における背景は、特別図柄の変動開始時（Ａ１）から変動中（Ａ２）を経て停止の変動終了（Ａ３）に至るまで、通常背景が維持される。本実施例の通常背景は雲一つ無い青空に太陽を表した昼の景色からなり、また、本実施例の非共通変動態様（非共通演出パターン）は、特別図柄のサイズが大の通常図柄を図柄枠で囲んだ表示態様からなり、通常背景における雲一つ無い青空の広い空間に特別図柄のサイズが大の通常図柄を表示しても、特別図柄（通常図柄）が背景の邪魔にならないように構成されている。
【００７１】
図４７に示す背景例２は、特殊背景が設定されている時に、特典変動態様（特典演出パターン）或いは通常変動態様の共通変動態様（共通演出態様）が選択された場合、前記表示装置１０における背景は特別図柄の変動開始時（Ｂ１）の特殊背景から、変動中（Ｂ２）も変更されることなく停止の変動終了（Ｂ３）に至るまで特殊背景が維持される。本実施例の特殊背景は月と流星の夜空を表す夜の景色からなり、また、本実施例の特典変動態様（特典演出パターン）及び共通変動態様（共通演出パターン）は、特別図柄のサイズが小の特典図柄を図柄枠で囲んだ表示態様からなり、特殊背景における月と流星の夜空に特別図柄のサイズが小の特典図柄を表示しても特殊背景における流星等の邪魔をすることなく演出効果を高めることができるように構成され、背景と変動態様（演出パターン）に齟齬を生じることがない。
【００７２】
図４８に示す背景例３は、通常背景が設定されている時に、通常変動態様の共通変動態様（共通演出パターン）が選択された場合、前記表示装置１０における背景は特別図柄の変動開始時（Ｃ１）の通常背景から、変動中（Ｃ２）も変更されることなく停止の変動終了（Ｃ３）に至るまで通常背景が維持される。本実施例の共通変動態様（共通演出パターン）は、特典変動態様（特典演出パターン）と同様に特別図柄のサイズが小の特典図柄を図柄枠で囲んだ表示態様となっており、通常背景における雲一つ無い青空の広い空間に特別図柄のサイズが小の特典図柄を表示しても、特別図柄（特典図柄）が背景の邪魔にならないように構成されている。
【００７３】
図４９に示す背景例４は、特殊背景が設定されているにも関わらず遊技状態が通常遊技状態であるために、通常変動態様の非共通変動態様（非共通演出パターン）が選択された場合、前記表示装置１０における背景は特別図柄の変動開始時（Ｄ１）の特殊背景から、変動中（Ｄ２）に連結背景に変更され、その後に通常背景に変更されて特別柄停止の変動終了（Ｄ３）となる。連結背景は、特殊背景から通常背景への変化途中の背景等からなり、特殊背景から通常背景への変化に違和感を生じさせないように構成されている。図示の場合では、夜の景色で構成される特殊背景と昼の景色で構成される通常背景の間に日の出の景色で構成される連結背景を介在させることで、背景の変化に違和感が無くなり、スムーズな変化となるように構成されている。さらに、特別図柄は、特別図柄のサイズが大の特典図柄を図柄枠で囲んだ表示態様で表示されるため、変動開始時（Ｄ１）では特殊背景における流星等に重なるように表示されているが、変動中（Ｄ２）において連結背景を表示することで変動終了時（Ｄ３）には通常背景に変化するため、背景と変動態様（演出パターン）に齟齬を無くすことが可能となる。
【００７４】
図５０に示す背景例５は、本発明とは異なる比較例であり、特殊背景が設定されている時に、遊技状態が通常遊技状態であるために通常変動態様の非共通変動態様（共通演出パターン）が選択されたが、変動中に特殊背景から通常背景に変更されなかった場合は、前記表示装置１０における背景は特別図柄の変動開始時（Ｅ１）の特殊背景から、変動中（Ｅ２）も変更されることなく停止の変動終了（Ｅ３）に至るまで、月と流星からなる夜の景色で構成される特殊背景で表示され、かつ特別図柄のサイズが大の通常図柄を図柄枠で囲んだ表示態様で特別図柄が変動表示されるため、特別図柄が特殊背景における流星等の表示の邪魔をして演出効果を低減させ、背景と変動態様（演出パターン）に齟齬を生じるようになる。
【００７５】
以下に遊技機１における制御処理を説明する。前記主制御基板２００の制御回路に設けられる主なフラグとして、本実施例では大当たりフラグ、確変フラグ、時短フラグ、小当たりフラグ、電源断フラグ等が挙げられる。これらのフラグは、初期設定時には全てＯＦＦにされる。
【００７６】
前記主制御基板２００では、前記ＲＯＭに記憶されている制御プログラム（主制御手順）に従い前記ＣＰＵがメイン処理Ｍを行う。図４はメイン処理Ｍのフローチャートである。
【００７７】
メイン処理Ｍでは、ＣＰＵ等の初期設定処理（Ｓ１０）、割り込み禁止処理（Ｓ２０）、普通図柄・特別図柄主要乱数更新処理（Ｓ３０）、割り込み許可処理（Ｓ４０）が行われ、最終処理においてループ処理が行われている間に４ｍｓ毎に割り込み処理（Ｓ１００）が実行される。
【００７８】
ＣＰＵ等の初期設定処理（Ｓ１０）では、スタックの設定、割り込み時間の設定、ＣＰＵの設定、ＳＩＯ、ＰＩＯ、ＣＴＣの設定等が行われる。メイン処理Ｍは繰り返し行われるが、ＣＰＵ等の初期設定処理（Ｓ１０）については、電源投入時のみに必要な初期制御手順であり、最初の１巡目のみに実行され、その後は実行されないが、周知であるので詳細は省略する。
【００７９】
割り込み禁止処理（Ｓ２０）では、４ｍｓｅｃごとに割り込み処理（Ｓ１００）が入ってきても、割り込み許可となるまで、割り込みを禁止する。普通図柄・特別図柄主要乱数更新処理（Ｓ３０）では、種々の乱数が普通図柄・特別図柄主要乱数更新処理（Ｓ３０）ごとに加算され、前記のように各乱数の設定上限値に至ると次に最低値に戻って再び加算が行われる。更新された乱数は前記主制御基板２００のＲＡＭに記憶される。割り込み許可処理（Ｓ４０）では、４ｍｓｅｃごとに入ってくる割り込み処理（Ｓ１００）に対して許可をする。
【００８０】
割り込み処理（Ｓ１００）では、図５に示すように、出力処理（Ｓ１１０）、入力処理（Ｓ１２０）、普通図柄・特別図柄主要乱数更新処理（Ｓ１３０）、始動入賞口スイッチ検出処理（Ｓ１４０）、普通動作処理（Ｓ１５０）、特別動作処理（Ｓ１６０）、保留球数処理（Ｓ１７０）、電源断監視処理（Ｓ１８０）、その他の処理（Ｓ１９０）が順に行われる。
【００８１】
出力処理（Ｓ１１０）では、各処理で設定された出力用のコマンド（指令信号）が各制御基板に送信される。前記出力処理（Ｓ１１０）は、遊技状態情報送信手段の処理に相当する。
入力処理（Ｓ１２０）では、遊技機１に取り付けられている各種センサ（スイッチ）が検知した場合の信号入力が行われる。
普通図柄・特別図柄主要乱数更新処理（Ｓ１３０）では、前記メイン処理Ｍにおけるループ処理内で行われている普通図柄・特別図柄主要乱数更新処理（Ｓ３０）と同様の処理が行われる。
【００８２】
始動入賞口スイッチ検出処理（Ｓ１４０）では、図６に示すように、まず前記普通図柄変動開始用ゲート５５を遊技球が通過したかどうか判断され（Ｓ１４０−１）、遊技球が前記普通図柄開始用ゲート５５を通過していればゲート通過処理（Ｓ１４０−２）を行い、普通図柄開始用ゲート５５を遊技球が通過していなければ、ゲート通過処理（Ｓ１４０−２）をジャンプして次の処理Ｓ１４０−３が行われる。
【００８３】
ゲート通過処理（Ｓ１４０−２）では、図７に示すように、普通図柄保留球数が４以上か判断され（Ｓ１４０−２−１）、４以上であればこのゲート通過処理（Ｓ１４０−２）を終了する。一方、４以上でなければ、普通図柄保留球数に１加算され（Ｓ１４０−２−２）、普通図柄乱数値が取得され（Ｓ１４０−２−３）、このゲート通過処理（Ｓ１４０−２）が終了し、次の処理Ｓ１４０−３が行われる。
【００８４】
前記始動入賞口スイッチ検出処理Ｓ１４０のＳ１４０−３では、前記上側始動入賞口４１あるいは下側始動入賞口４２に遊技球が入賞したか否か判断され、入賞していない場合にはこの始動入賞口スイッチ検出処理（Ｓ１４０）が終了し、一方、前記上側始動入賞口４１あるいは下側始動入賞口４２に入賞している場合には、次に前記主制御基板２００のＲＡＭに記憶されている前記特別図柄保留球数が設定数の４以上か確認される（Ｓ１４０−４）。前記特別図柄保留球数が４以上であれば、この始動入賞口スイッチ検出処理（Ｓ１４０）を終了し、それに対して４未満であれば、前記特別図柄保留球数に前記始動入賞口スイッチで検出された遊技球検出数１が加算される（Ｓ１４０−５）。続いて、特別図柄関係乱数取得処理（Ｓ１４０−６）が行われ、その後にこの始動入賞口スイッチ検出処理（Ｓ１４０）が終了する。前記特別図柄関係乱数取得処理（Ｓ１４０−６）では、前記ＲＡＭに記憶されている特別図柄関係の更新乱数が取得され、現在の特別図柄保留球数と対応するＲＡＭアドレスに取得乱数がセーブ（記憶）される。ここで取得される乱数値は、例えば大当たり乱数値、大当たり図柄乱数値、特典遊技乱数値、時短遊技乱数、特別図柄データ乱数値、リーチ乱数値、変動態様乱数値である。なお、現在の特別図柄保留球数と対応するＲＡＭアドレスに取得乱数値がセーブされるとは、例えば現在の特別図柄保留球数が１の場合には特別図柄保留球数１と対応するＲＡＭアドレスに取得乱数値がセーブされ、特別図柄保留球数が２の場合には特別図柄保留球数２と対応するＲＡＭアドレスに取得乱数値がセーブされることを意味する。
【００８５】
前記始動入賞口スイッチ検出処理（Ｓ１４０）に次いで、普通動作処理（Ｓ１５０）が行われる。
普通動作処理（Ｓ１５０）では、図８に示すように、まず前記下側始動入賞口４２が開放中か確認される（Ｓ１５０−１）。前記下側始動入賞口４２が閉鎖中であれば、普通図柄保留球数が０か確認され（Ｓ１５０−２）、０であればこの普通動作処理（Ｓ１５０）が終了する。一方、普通図柄保留球数が０では無い場合には、前記始動入賞口スイッチ検出処理（Ｓ１４０）のゲート通過処理（Ｓ１４０−２）で取得されて主制御基板２００のＲＡＭに記憶されている取得普通図柄乱数値が読み出され（Ｓ１５０−３）、現在確変中（確変フラグＦ２がＯＮ（Ｆ２＝１））か確認される（Ｓ１５０−４）。確変中ではない場合、前記取得普通図柄乱数値が低確率状態中の普通図柄当たり成立数値と対比されて両者が一致するか確認され、一致する場合には低確率状態での普通図柄当たりとなり、一致しない場合には外れと判断される（Ｓ１５０−５）。外れの場合には、この普通動作処理（Ｓ１５０）が終了し、一方、普通図柄当たりの場合には、下側始動入賞口４２を開放時間１秒、開放回数１回で開放する始動入賞口開放処理１が行われ（Ｓ１５０−６）、その後にこの普通動作処理（Ｓ１５０）が終了する。それに対して、Ｓ１５０−４で確変中と判断されると、前記取得普通図柄乱数値が高確率状態中の普通図柄たり成立数値と対比されて両者が一致するか確認され、一致する場合には高確率状態での普通図柄当たりとなり、一致しない場合には外れと判断される（Ｓ１５０−７）。外れの場合には、この普通動作処理（Ｓ１５０）が終了し、一方、普通図柄当たりの場合には、始動入賞口４２を開放時間２秒、開放回数３回で開放する始動入賞口開放処理２が行われ（Ｓ１５０−８）、その後にこの普通動作処理（Ｓ１５０）が終了する。
【００８６】
また、Ｓ１５０−１で前記下側始動入賞口４２が開放中と判断されると、下側始動入賞口４２の開放時間が経過（終了）したか確認され（Ｓ１５０−９）、始動入賞口開放時間が経過していない場合には、この普通動作処理（Ｓ１５０）が終了し、一方、始動入賞口開放時間が経過した場合には、下側始動入賞口４２を閉鎖する処理が行われ（Ｓ１５０−１０）、その後にこの普通動作処理（Ｓ１５０）が終了する。
【００８７】
特別動作処理（Ｓ１６０）では、図９に示すように、まず特別動作ステータスが０〜１１の何れであるか判断され（Ｓ１６０−１）、特別動作ステータスが０の場合には特別図柄待機処理（Ｓ１６０−２）が行われ、特別動作ステータスが１の場合には特別図柄変動処理（Ｓ１６０−３）が行われ、特別動作ステータスが２の場合には特別図柄確定処理（Ｓ１６０−４）が行われ、特別動作ステータスが３の場合には大当たり開始処理（Ｓ１６０−５）が行われ、特別動作ステータスが４の場合には大当たり大入賞口開放処理（Ｓ１６０−６）が行われ、特別動作ステータスが５の場合には大当たり大入賞口閉鎖１処理（Ｓ１６０−７）が行われ、特別動作ステータスが６の場合には大当たり大入賞口閉鎖２処理（Ｓ１６０−８）が行われ、特別動作ステータスが７の場合には大当たり終了処理（Ｓ１６０−９）が行われ、特別動作ステータスが８の場合には小当たり開始処理（Ｓ１６０−１０）が行われ、特別動作ステータスが９の場合には小当たり大入賞口開放処理（Ｓ１６０−１１）が行われ、特別動作ステータスが１０の場合には小当たり大入賞口閉鎖処理（Ｓ１６０−１２）が行われ、特別動作ステータスが１１の場合には小当たり終了処理（Ｓ１６０−１３）が行われる。なお、前記特別動作ステータス３の場合の大当たり開始処理（Ｓ１６０−５）、特別動作ステータス４の場合の大当たり大入賞口開放処理（Ｓ１６０−６）、特別動作ステータス５の場合の大当たり大入賞口閉鎖１処理（Ｓ１６０−７）、特別動作ステータス６の場合の大当たり大入賞口閉鎖２処理（Ｓ１６０−８）、特別動作ステータス７の場合の大当たり終了処理（Ｓ１６０−９）は、特別遊技実行手段の処理に相当する。
【００８８】
特別動作ステータスが０の場合に実行される特別図柄待機処理（Ｓ１６０−２）では、図１０に示すように、前記特別図柄保留球数が０か否か判断され（Ｓ１６０−２−１）、特別図柄保留球数が０の場合には前記表示装置１０が特別図柄の変動中ではない待機画面（待ち受け画面）中か否か判断され（Ｓ１６０−２−８）、待機画面（待ち受け画面）中であれば、この特別図柄待機処理（Ｓ１６０−２）が終了し、一方、待機画面（待ち受け画面）中ではない場合には前記表示装置１０を待機画面（待ち受け画面）にする設定処理が行われ（Ｓ１６０−２−９）、その後にこの特別図柄待機処理（Ｓ１６０−２）が終了する。
【００８９】
それに対して前記Ｓ１６０−２−１で特別図柄保留球数が０ではないと判断された場合には、特別図柄大当たり判定処理（Ｓ１６０−２−２）、特別図柄選択処理（Ｓ１６０−２−３）、特別図柄変動態様選択処理（Ｓ１６０−２−４）、特別図柄乱数シフト処理（Ｓ１６０−２−５）、特別図柄変動開始設定処理（Ｓ１６０−２−６）、特別動作ステータスを１にセットする処理（Ｓ１６０−２−７）がこの順序で行われる。
【００９０】
特別図柄大当たり判定処理（Ｓ１６０−２−２）では、遊技の当否判定を行う当否判定手段（遊技の当否判定手段）の処理、特典遊技判定手段の処理、時短遊技判定手段の処理が行われる。特別図柄大当たり判定処理（Ｓ１６０−２−２）では、図１１に示すように、まず、前記主制御基板２００のＲＡＭに記憶されている取得大当たり乱数値（保留取得大当たり乱数値）がロードされる（１６０−２−２−１）。続いて現在確変中（高確率遊技状態中）か否かが判断される（Ｓ１６０−２−２−２）。前記確変中か否かは、前記主制御基板２００に設けられている確変フラグＦ２がＯＮ（Ｆ２＝１、高確率遊技状態）かＯＦＦ（Ｆ２＝０、通常遊技状態、低確率状態）かによって判断される。前記確変中ではない場合には、通常遊技（低確率）状態時における大当たり成立数値と前記ロードされた大当たり乱数値が一致するか否かにより大当たりか否か判断され（Ｓ１６０−２−２−３）、一致しなければ大当たりではない外れと判断され、さらに小当たりか判断される（Ｓ１６０−２−２−４）。小当たりか否かの判断は、前記ロードされた大当たり乱数値が小当たり成立数値と一致するかにより行われ、一致すれば小当たりとなり、一致しなければ外れとなる。小当たりと判断されると、小当たりフラグＦ３がＯＮ（Ｆ３＝１）にセットされると共に小当たりコマンドが出力バッファにセットされ（Ｓ１６０−２−２−５）、その後にこの特別図柄大当たり判定処理（Ｓ１６０−２−２）が終了する。一方、小当たりではない場合には外れコマンドが出力バッファにセットされ（Ｓ１６０−２−２−６）、その後にこの特別図柄大当たり判定処理（Ｓ１６０−２−２）が終了する。
【００９１】
また、Ｓ１６０−２−２−３で低確率状態での大当たりと判断された場合、大当たりフラグＦ１がＯＮ（Ｆ１＝１）にセットされ（Ｓ１６０−２−２−７）、次に取得されている特典遊技乱数値に基づいて確変（特典遊技有り）か非確変（特典遊技無し）か判断され、確変（特典遊技有り）の場合には確変フラグＦ２がＯＮ（Ｆ２＝１）にセットされ、一方、非確変（特典遊技無し）の場合には確変フラグＦ２がＯＦＦ（Ｆ２＝０）にセットされ、また、大当たりコマンドが出力バッファにセットされる（Ｓ１６０−２−２−８）。ここでセットされる大当たりコマンドが遊技状態情報に相当する。次に取得されている時短遊技乱数値に基づいて時短有りか時短無しか判断され、時短有りの場合には時短フラグＦ４がＯＮ（Ｆ４＝１）にセットされると共に時短有りコマンドが出力バッファにセットされ、一方、時短無しの場合には時短フラグＦ４がＯＦＦ（Ｆ４＝０）にセットされると共に時短無しコマンドが出力バッファにセットされ（Ｓ１６０−２−９）、その後にこの特別図柄大当たり判定処理（Ｓ１６０−２−２）が終了する。時短有りコマンド及び時短無しコマンドは、遊技状態コマンドの一種であり、本実施例の特殊背景設定手段は、サブ制御基板において大当たり遊技中或いは小当り遊技中に主制御基板から時短有りコマンドを受信した場合は実行されず、時短なしコマンドを受信した場合のみ実行されるように構成されている。なお、Ｓ１６０−２−２−８の処理は特典遊技判定手段の処理に相当し、またＳ１６０−２−２−９の処理は時短遊技判定手段の処理に相当する。
【００９２】
また、Ｓ１６０−２−２−２で確変中と判断された場合には、次に高確率状態における大当たりか否か判断される（Ｓ１６０−２−２−１０）。大当たりの場合には、大当たりフラグＦ１がＯＮ（Ｆ１＝１）にセットされ（Ｓ１６０−２−２−７）、次に取得されている特典遊技乱数値に基づいて確変（特典遊技有り）か非確変（特典遊技無し）か判断され、確変（特典遊技有り）の場合には確変フラグＦ２がＯＮ（Ｆ２＝１）にセットされ、一方、非確変（特典遊技無し）の場合には確変フラグＦ２がＯＦＦ（Ｆ２＝０）にセットされ、また、大当たりコマンドが出力バッファにセットされる（Ｓ１６０−２−２−８）。次に取得されている時短遊技乱数値に基づいて時短有りか時短無しか判断され、時短有りの場合には時短フラグＦ４がＯＮ（Ｆ４＝１）にセットされると共に時短有りコマンドが出力バッファにセットされ、一方、時短無しの場合には時短フラグＦ４がＯＦＦ（Ｆ４＝０）にセットされると共に時短無しコマンドが出力バッファにセットされ（Ｓ１６０−２−９）、その後にこの特別図柄大当たり判定処理（Ｓ１６０−２−２）が終了する。
【００９３】
また、Ｓ１６０−２−２−１０で高確率状態での大当たりではないと判断されると、次に小当たりか判断される（Ｓ１６０−２−２−１１）。小当たりか否かの判断は、前記ロードされた大当たり乱数値が小当たり成立数値と一致するかにより行われ、一致すれば小当たりとなり、一致しなければ外れとなる。小当たりと判断されると、小当たりフラグＦ３がＯＮ（Ｆ３＝１）にセットされると共に小当たりコマンドが出力バッファにセットされ（Ｓ１６０−２−２−１２）、その後にこの特別図柄大当たり判定処理（Ｓ１６０−２−２）が終了する。一方、小当たりではない場合には外れコマンドが出力バッファにセットされ（Ｓ１６０−２−２−１３）、その後にこの特別図柄大当たり判定処理（Ｓ１６０−２−２）が終了する。
【００９４】
前記特別図柄大当たり判定処理（Ｓ１６０−２−２）の次に、特別図柄選択処理（Ｓ１６０−２−３）が行われる。
特別図柄選択処理（Ｓ１６０−２−３）では、当否判定手段による判定結果が大当たりと外れの場合に前記表示装置１０で停止表示する特別図柄（本実施例では特別図柄の数字の組み合わせ）が選択される。特別図柄選択処理（Ｓ１６０−２−３）においては、図１２に示すように、大当たりフラグがＯＮ（大当たりフラグＦ１＝１）か判断され（Ｓ１６０−２−３−１）、大当たりフラグＯＮ、すなわち大当たりであれば、前記大当たり図柄乱数値に基づく特別図柄が停止特別図柄としてセットされる（Ｓ１６０−２−３−２）。一方、大当たりフラグがＯＮ（大当たりフラグＦ１＝１）ではない、すなわち外れの場合には、特別図柄データ乱数値（特別図柄データ１・特別図柄データ２・特別図柄データ３）を取得し（Ｓ１６０−２−３−３）、前記特別図柄データ１と特別図柄データ２と特別図柄データ３の乱数値が全て一致しているか判断され（Ｓ１６０−２−３−４）、一致している場合にはリーチ乱数値がリーチ成立数値と一致しているか判断される（Ｓ１６０−２−３−５）。リーチ乱数値がリーチ成立数値と一致している場合にはリーチ有りとなり、前記特別図柄データ１の乱数値に割り当てられている特別図柄が停止左特別図柄、特別図柄データ２の乱数値に１加算した乱数値に割り当てられている特別図柄が停止中特別図柄、特別図柄データ３の乱数値に割り当てられている特別図柄が停止右特別図柄にセットされる（Ｓ１６０−２−３−６）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−２−３−７）。
【００９５】
前記Ｓ１６０−２−３−４で特別図柄データ１と２と３の乱数値が一致していないと判断された場合には、特別図柄データ１と３の乱数値が一致しているか判断される（Ｓ１６０−２−３−８）。特別図柄データ１と３の乱数値が一致している場合には、リーチ乱数値がリーチ成立数値と一致しているか判断される（Ｓ１６０−２−３−９）。リーチ乱数値がリーチ成立数値と一致している場合にはリーチ有りとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−２−３−１０）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−２−３−７）。
【００９６】
前記Ｓ１６０−２−３−８で特別図柄データ１と３の乱数値が一致していない、すなわち特別図柄データ１，２，３が全て異なると判断された場合には、リーチ乱数値がリーチ成立数値と一致しているか判断される（Ｓ１６０−２−３−１１）。リーチ乱数値がリーチ成立数値と一致している場合にはリーチ有りとなり、前記特別図柄データ３の乱数値に割り当てられている特別図柄が停止左特別図柄と停止右特別図柄にセットされると共に、特別図柄データ３の乱数値に１加算した乱数値に割り当てられている特別図柄が停止中特別図柄にセットされる（Ｓ１６０−２−３−１２）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−２−３−１０）。
前記特別図柄のセット後、その他の処理（Ｓ１６０−２−３−１３）が実行され、その後にこの特別図柄選択処理（Ｓ１６０−２−３）が終了する。
【００９７】
前記特別図柄選択処理（Ｓ１６０−２−３）の次に特別図柄変動態様選択処理（Ｓ１６０−２−４）が行われる。
特別図柄変動態様選択処理（Ｓ１６０−２−４）では、特別図柄の変動態様（演出パターン）が複数の変動態様テーブル（演出パターンテーブル）から選択され、選択された変動態様（演出パターン）のコマンド（変動態様コマンド）が出力バッファに格納される。特別図柄変動態様選択処理（Ｓ１６０−２−４）は、演出パターン選択手段の処理に相当する。複数の変動態様テーブル（演出パターンテーブル）として、通常状態中当たり変動態様テーブル（通常状態中当たり演出パターンテーブル）、通常状態中ハズレ変動態様テーブル（通常状態中ハズレ演出パターンテーブル）、通常状態中リーチハズレ変動態様テーブル（通常状態中リーチハズレ演出パターンテーブル）、確変状態中当たり変動態様テーブル（確変状態中当たり演出パターンテーブル）、確変状態中ハズレ変動態様テーブル（確変状態中ハズレ演出パターンテーブル）、確変状態中リーチハズレ変動態様テーブル（確変状態中リーチハズレ演出パターンテーブル）が設けられている。
【００９８】
前記通常状態中当たり変動態様テーブル（通常状態中当たり演出パターンテーブル）、前記通常状態中ハズレ変動態様テーブル（通常状態中ハズレ演出パターンテーブル）、通常状態中リーチハズレ変動態様テーブル（通常状態中リーチハズレ演出パターンテーブル）には、それぞれ複数の通常変動態様（通常演出パターン）を有する。さらに、前記通常状態中当たり変動態様テーブル（通常状態中当たり演出パターンテーブル）及び通常状態中リーチハズレ変動態様テーブル（通常状態中リーチハズレ演出パターンテーブル）は、それぞれ前記通常変動態様（通常演出パターン）が、非共通変動態様（非共通演出パターン）で構成されている。一方、前記通常状態中ハズレテーブル（通常状態中ハズレ演出パターンテーブル）は、前記通常変動態様（通常演出パターン）が、共通変動態様（共通演出パターン）で構成されている。
【００９９】
確変状態中当たり変動態様テーブル（確変状態中当たり演出パターンテーブル）、確変状態中ハズレ変動態様テーブル（確変状態中ハズレ演出パターンテーブル）及び確変状態中リーチハズレ変動態様テーブル（確変状態中リーチハズレ演出パターンテーブル）には、それぞれ複数の特典変動態様（特典演出パターン）が設けられている。
前記各変動態様（演出パターン）には、変動態様乱数値が割り当てられている。
【０１００】
前記特別図柄変動態様選択処理（Ｓ１６０−２−４）では、図１３〜図１４に示すように、まず確変中（高確率状態、特典遊技状態中）か否か判断される（Ｓ１６０−２−４−１）。確変中ではない通常状態（低確率状態、通常遊技状態）の場合には、大当たりフラグがＯＮ（Ｆ１＝１、大当たり）か否か判断される（Ｓ１６０−２−４−２）。大当たりフラグがＯＮ（Ｆ１＝１、大当たり）の場合には、通常状態中当たり変動態様テーブル（通常状態中当たり演出パターンテーブル）に含まれる複数の非共通変動態様から変動態様乱数値に基づいて変動態様１（非共通演出パターン）が選択される（Ｓ１６０−２−４−３）。
【０１０１】
Ｓ１６０−２−４−２で大当たりフラグがＯＦＦ（Ｆ１＝０、外れ）と判断された場合には、取得したリーチ乱数値がリーチ成立数値と一致するか判断され（Ｓ１６０−２−４−４）、リーチ乱数値がリーチ成立数値と一致する場合には、通常状態中リーチハズレ変動態様テーブル（通常状態中リーチハズレ演出パターンテーブル）に含まれる複数の非共通変動態様から変動態様乱数値に基づいて通常状態リーチハズレの変動態様３（非共通演出パターン）が選択される（Ｓ１６０−２−４−５）。一方、リーチ乱数値がリーチ成立数値と一致しない場合には、通常状態中ハズレ変動態様テーブル（通常状態中ハズレ演出パターンテーブル）に含まれる複数の共通変動態様から変動態様乱数値に基づいて通常状態ハズレの変動態様４（共通演出パターン）が選択される（Ｓ１６０−２−４−６）。
【０１０２】
Ｓ１６０−２−４−１で確変中と判断されると、大当たりフラグがＯＮ（Ｆ１＝１、大当たり）か否か判断され（Ｓ１６０−２−４−７）、大当たりフラグがＯＮ（Ｆ１＝１、大当たり）の場合には、確変状態中当たり変動態様テーブル（確変状態中当たり演出パターンテーブル）に含まれる複数の特典変動態様から変動態様乱数値に基づいて確変状態当たりの変動態様２（特典演出パターン）が選択される（Ｓ１６０−２−４−８）。Ｓ１６０−２−４−７で大当たりフラグがＯＦＦ（Ｆ１＝０、外れ）と判断されると、取得したリーチ乱数値がリーチ成立数値と一致するか判断され（Ｓ１６０−２−４−９）、リーチ乱数値がリーチ成立数値と一致する場合には、確変状態中リーチハズレ変動態様テーブル（確変状態中リーチハズレ演出パターンテーブル）に含まれる複数の特典変動態様（特典演出パターン）から変動態様乱数値に基づいて確変状態リーチハズレの変動態様５（特典演出パターン）が選択される（Ｓ１６０−２−４−１０）。一方、リーチ乱数値がリーチ成立数値と一致しない場合には、確変状態中ハズレ変動態様テーブル（確変状態中ハズレ演出パターンテーブル）に含まれる複数の特典変動態様から変動態様乱数値に基づいて確変状態ハズレの変動態様６（特典演出パターン）が選択される（Ｓ１６０−２−４−１１）。
【０１０３】
前記のようにして変動態様が選択された後、選択された変動態様（演出パターン）のコマンド（変動態様コマンド）が出力バッファに格納され（Ｓ１６０−２−４−１２）、その他の処理が行われ（Ｓ１６０−２−４−１３）、その後にこの特別図柄変動態様選択処理（Ｓ１６０−２−４）が終了する。
【０１０４】
前記特別図柄変動態様選択処理（Ｓ１６０−２−４）の次に特別図柄乱数シフト処理（Ｓ１６０−２−５）が行われる。
特別図柄乱数シフト処理（Ｓ１６０−２−５）では、前記ＲＡＭの特別図柄保留球数のデータ記憶領域において、ロード（読み出し）順位一位のアドレスの記憶領域に記憶されていた特別図柄保留球数のデータが、先の処理によりロードされて空席となることに起因して、ロード順位が二位以降のアドレスに記憶されている特別図柄保留球数のデータについて、ロード順位を一つずつ繰り上げるアドレスのシフトが行われる。具体的には、図１５に示すように、まず、前記主制御基板２００のＲＡＭに記憶されている前記特別図柄保留球数から１減算（例えば保留球数２のものは１にされ、３のものは２にされる等）され（Ｓ１６０−２−５−１）、次に各保留球数に対応するデータが各保留球数から１減算した保留球数のＲＡＭアドレスにシフトされ（Ｓ１６０−２−５−２）、続いて最上位（ロード順位が最後、本実施例では４個目）の特別図柄保留球数に対応するＲＡＭアドレスに０がセットされる（Ｓ１６０−２−５−３）。
【０１０５】
前記特別図柄乱数シフト処理（Ｓ１６０−２−５）に次いで、特別図柄変動開始設定処理（Ｓ１６０−２−６）が行われる。
特別図柄変動開始設定処理（Ｓ１６０−２−６）では、図１６に示すように、選択された変動態様の変動時間が設定され（Ｓ１６０−２−６−１）、次に特別図柄変動開始コマンドが出力バッファに格納され（Ｓ１６０−２−６−２）、その後に前記特別図柄変動開始設定処理（Ｓ１６０−２−６）が終了する。
前記特別図柄変動開始設定処理（Ｓ１６０−２−６）の次に、前記特別図柄待機処理（Ｓ１６０−２）では特別動作ステータスが１にセットされ（Ｓ１６０−２−７）、その後に特別図柄待機処理（Ｓ１６０−２）が終了する。
【０１０６】
前記特別動作ステータスが１の場合に行われる特別図柄変動処理（Ｓ１６０−３）では、図１７に示すように、まず特別図柄の変動時間終了、すなわち選択された変動態様の変動時間が終了したか否か判断され（Ｓ１６０−３−１）、変動時間が終了していなければこの特別図柄変動処理（Ｓ１６０−３）が終了する。一方、変動時間が終了していれば特別図柄変動停止コマンドがセットされ（Ｓ１６０−３−２）、続いて特別動作ステータスが２にセットされ（Ｓ１６０−３−３）、その後に特別図柄変動処理（Ｓ１６０−３）が終了する。
【０１０７】
前記特別動作ステータスが２の場合に行われる特別図柄確定処理（Ｓ１６０−４）では、図１８に示すように、まず大当たりフラグがＯＮ（Ｆ１＝１）か否か、すなわち大当たりか否か判断される（Ｓ１６０−４−１）。大当たりフラグがＯＮ（Ｆ１＝１）、すなわち大当たりの場合には、大当たり変動終了（特別図柄変動終了）後のデータ設定が行われる（Ｓ１６０−４−２）。大当たり変動終了（特別図柄変動終了）後のデータ設定としては、実行する特別遊技の設定、大入賞口の動作カウンタ設定、ラウンドカウンタ（１５ラウンド）のセット、大当たりオープニング時間等がある。本実施例では特別遊技のバリエーションとして1つのラウンド中に大入賞口を複数回開閉動作させる特別遊技が設けられており、大入賞口を開閉動作させるために大入賞口の動作カウンタが使用される。前記大入賞口の動作カウンタは、特別遊技の各ラウンド状態における大入賞口４５の開閉動作と開閉時間を定めるものであり、第一特別遊技用カウンタと第二特別遊技用カウンタとがある。第一特別遊技用カウンタと第二特別遊技用カウンタには、ラウンド状態における大入賞口開閉カウンタと開閉時間が設定されている。大入賞口開閉カウンタは初期設定値から１ずつ減算するように処理され、‘０’になるとカウンタを用いる制御が終了するように処理される。
【０１０８】
第一特別遊技用カウンタ及び第二特別遊技用カウンタには、ラウンド用特別演出が行われる１ラウンド目について設定する特別開放カウンタと、ラウンド用通常演出が行われる２ラウンド目以降について設定する通常開放カウンタとがある。ラウンド用特別演出及びラウンド用通常演出は、ラウンド状態中に表示装置１０で行う演出であり、ラウンド用特別演出はラウンド用通常演出よりも長い演出時間が設定されている。
【０１０９】
第一特別遊技用カウンタにおける特別開放カウンタでは、初期値の大入賞口開閉カウンタとして‘１’が設けられると共に大入賞口開閉カウンタ‘１’に対応する動作として開放１．５秒が設定され、大入賞口開閉カウンタが‘１’のときに大入賞口４５の開放が１．５秒間行われるように構成されている。
第一特別遊技用カウンタにおける通常開放カウンタでは、初期値の大入賞口開閉カウンタとして‘１’が設けられると共に大入賞口開閉カウンタ‘１’に対応する動作として開放３０秒が設定され、大入賞口開閉カウンタが‘１’のときに大入賞口４５の開放が３０秒間行われるように構成されている。
【０１１０】
第二特別遊技用カウンタにおける特別開放カウンタでは、大入賞口開閉カウンタとして‘７’、‘６’、‘５’、‘４’、‘３’、‘２’、‘１’が設けられると共に、大入賞口開閉カウンタ‘７’に対応する動作として開放０．２秒、大入賞口開閉カウンタ‘６’に対応する動作として閉鎖０．３秒、大入賞口開閉カウンタ‘５’に対応する動作として開放０．２秒、大入賞口開閉カウンタ‘４’に対応する動作として閉鎖０．３秒、大入賞口開閉カウンタ‘３’に対応する動作として開放０．２秒、大入賞口開閉カウンタ‘２’に対応する動作として閉鎖５０秒、大入賞口開閉カウンタ‘１’に対応する動作として開放２０秒が設定されている。大入賞口開閉カウンタは、初期値が‘７’に設定され、後述の大当たり大入賞口開放処理（Ｓ１６０−６）で１ずつ減算される。ラウンド状態開始時の大入賞口開閉カウンタ‘７’のときには大入賞口４５が０．２秒間開放され、次の大入賞口開閉カウンタ‘６’のときに大入賞口４５が０．３秒間閉鎖され、次の大入賞口開閉カウンタ‘５’のときには大入賞口４５が０．２秒間開放され、次の大入賞口開閉カウンタ‘４’のときに大入賞口４５が０．３秒間閉鎖され、次の大入賞口開閉カウンタ‘３’のときには大入賞口４５が０．２秒間開放され、次の大入賞口開閉カウンタ‘２’のときに大入賞口４５が５０秒間閉鎖され、次の大入賞口開閉カウンタ‘１’のときに大入賞口４５が２０秒間開放されるように構成されている。
【０１１１】
第二特別遊技用カウンタにおける通常開放カウンタでは、大入賞口開閉カウンタの初期値として‘１’が設けられると共に大入賞口開閉カウンタ‘１’に対応する動作として開放３０秒が設定され、大入賞口開閉カウンタが‘１’のときに大入賞口４５の開放が３０秒間行われるように構成されている。
【０１１２】
前記大当たり変動終了後のデータ設定（Ｓ１６０−４−２）が行われた後、大当たりオープニングコマンドが出力バッファに格納される（Ｓ１６０−４−３）。大当たりオープニングコマンドは、特別遊技開始時に前記表示装置１０で大当たりオープニング画面を表示させるためのコマンドである。その後に特別動作ステータスが３にセットされ（Ｓ１６０−４−４）、この特別図柄確定処理（Ｓ１６０−４）が終了する。
【０１１３】
一方、Ｓ１６０−４−１で大当たりフラグがＯＮ（Ｆ１＝１）ではない、すなわち大当たりではないと判断されると、次に小当たりフラグがＯＮ（Ｆ３＝１）か、すなわち小当たりか否か判断される（Ｓ１６０−４−５）。小当たりフラグがＯＮ（Ｆ３＝１）、すなわち小当たりと判断されると、小当たり変動終了（特別図柄変動終了）後のデータ設定が行われる（Ｓ１６０−４−６）。小当たり変動終了（特別図柄変動終了）後のデータ設定としては、実行する小当たり遊技の設定、大入賞口の動作カウンタ設定、小当たりオープニング時間等がある。小当たり変動終了後のデータとして設定される大入賞口の動作カウンタは、小当たり遊技における大入賞口４５の開閉動作と開閉時間を定めるものであり、小当たり専用カウンタとして特別開放カウンタが設けられている。小当たり専用カウンタにおける特別開放カウンタには、大入賞口開閉カウンタと開閉時間が設定されている。大入賞口開閉カウンタは初期値から１ずつ減算するように処理され、‘０’になるとカウンタを用いる制御が終了するように処理される。本実施例では大入賞口開閉カウンタの初期値として‘１’が設けられると共に大入賞口開閉カウンタ‘１’に対応する動作として開放１．５秒が設定され、大入賞口開閉カウンタが‘１’のときに大入賞口４５の開放が１．５秒間行われるように構成されている。
【０１１４】
前記小当たり変動終了後のデータ設定（Ｓ１６０−４−６）が行われた後、小当たりオープニングコマンドが出力バッファに格納される（Ｓ１６０−４−７）。小当たりオープニングコマンドは、小当たり遊技開始時に前記表示装置１０で小当たりオープニング画面を表示させるためのコマンドである。その後に特別動作ステータスが８にセットされ（Ｓ１６０−４−８）、この特別図柄確定処理（Ｓ１６０−４）が終了する。
一方、Ｓ１６０−４−５で小当たりフラグがＯＮ（Ｆ３＝１）ではない、すなわち小当たりではない（外れ）と判断されると、特別動作ステータスが０にセットされ（Ｓ１６０−４−９）、この特別図柄確定処理（Ｓ１６０−４）が終了する。
【０１１５】
特別動作ステータスが３の場合に実行される大当たり開始処理（Ｓ１６０−５）では、図１９に示すように、まずオープニング動作終了時間か判断され（Ｓ１６０−５−１）、オープニング動作終了時間で無い場合には、この大当たり開始処理（Ｓ１６０−５）が終了する。一方、オープニング動作終了時間の場合には、大入賞口動作Ａ設定処理（Ｓ１６０−５−２）、ラウンド回数Ａ設定処理（Ｓ１６０−５−３）、特別動作ステータスを４に設定する処理（Ｓ１６０−５−４）が、この順序で実行される。
【０１１６】
大入賞口動作Ａ設定処理（Ｓ１６０−５−２）では、大入賞口４５のラウンド中における開閉動作が設定される。具体的には、図２０に示すように、大当たりの場合に実行される特別遊技の種類とラウンド回数に応じた特別開放カウンタ或いは通常開放カウンタがロードされ（Ｓ１６０−５−２−１）、次に特別開放カウンタ或いは通常開放カウンタに対応した大入賞口４５の開閉時間が設定され（Ｓ１６０−５−２−２）、この大入賞口動作Ａ設定処理（Ｓ１６０−５−２）が終了する。
【０１１７】
ラウンド回数Ａ設定処理（Ｓ１６０−５−３）では、図２１に示すように、前記表示装置１０に現在表示しているラウンド回数が１加算され（Ｓ１６０−５−３−１）、またラウンド有効回数（残りのラウンド回数）が１減算され（Ｓ１６０−５−３−２）、ラウンド回数に対応するラウンド状態の時間（ラウンド時間）が設定され（Ｓ１６０−５−３−３）、ラウンド遊技開始（ラウンド遊技状態開始）コマンドが出力バッファに格納され（Ｓ１６０−５−３−４）、このラウンド回数Ａ設定処理（Ｓ１６０−５−３）が終了する。
【０１１８】
特別動作ステータスが４の場合に実行される大当たり大入賞口開放処理（Ｓ１６０−６）では、１ラウンド中に大入賞口４５を開閉動作させるための設定が行われる。図２２に示すように、まず大入賞口スイッチ検出Ａ処理（Ｓ１６０−６−１）が行われる。
大入賞口スイッチ検出Ａ処理（Ｓ１６０−６−１）では、図２３に示すように、大入賞口４５に遊技球が入賞して検出されたか確認され（Ｓ１６０−６−１−１）、大入賞口４５への入賞が検出されていない場合には、この大入賞口スイッチ検出Ａ処理（Ｓ１６０−６−１）が終了する。一方、大入賞口４５への入賞が検出された場合には、大入賞口入賞個数が１加算され（Ｓ１６０−６−１−２）、その後にこの大入賞口スイッチ検出Ａ処理（Ｓ１６０−６−１）が終了する。
【０１１９】
前記大入賞口スイッチ検出Ａ処理（Ｓ１６０−６−１）の次に、大入賞口入賞個数が１０個以上（第二終了条件成立）か判断され（Ｓ１６０−６−２）、大入賞口入賞個数が１０個未満（第二終了条件不成立）の場合には、前記ラウンド回数Ａ設定処理（Ｓ１６０−５−３）で設定されたラウンド時間（ラウンド状態の時間）が経過（第一終了条件成立）したか判断される（Ｓ１６０−６−３）。ラウンド時間経過前（第一終了条件不成立）の場合には、前記大入賞口動作Ａ設定処理（Ｓ１６０−５−２）で設定された大入賞口の開閉時間（開放時間又は閉鎖時間）が経過したか判断され（Ｓ１６０−６−４）、経過していない場合にはこの大当たり大入賞口開放処理（Ｓ１６０−６）が終了する。一方、Ｓ１６０−６−４で大入賞口の開閉時間が経過と判断された場合には、前記大入賞口動作Ａ設定処理（Ｓ１６０−５−２）で設定された特別開放カウンタ或いは通常開放カウンタにおける大入賞口開閉カウンタが１減算され（Ｓ１６０−６−５）、減算後の大入賞口開閉カウンタが０か否か確認され（Ｓ１６０−６−６）、減算後の大入賞口開閉カウンタが０ではない場合には大入賞口開閉設定処理（Ｓ１６０−６−７）が行われ、その後に、この大当たり大入賞口開放処理（Ｓ１６０−６）が終了する。
【０１２０】
前記大入賞口開閉設定処理（Ｓ１６０−６−７）では、前記第二特別遊技の１ラウンド目における大入賞口４５の開閉動作の設定が行われる。具体的には、図２４に示すように、まず大入賞口開閉カウンタの値が確認され（Ｓ１６０−６−７−１）、大入賞口開閉カウンタの値が２、４、６の何れか、或いは何れでも無いか判断される（Ｓ１６０−６−７−２）。大入賞口開閉カウンタの値が２、４、６の何れかの場合には、前記第二特別遊技用カウンタの特別開放カウンタにおける大入賞口開閉カウンタの値に対応する大入賞口閉鎖時間の設定が行われ（Ｓ１６０−６−７−３）、大入賞口閉鎖コマンドが出力バッファに格納され（Ｓ１６０−６−７−４）、この大入賞口開閉設定処理（Ｓ１６０−６−７）が終了する。一方、前記Ｓ１６０−６−７−２で大入賞口開閉カウンタの値が２、４、６のいずれとも異なると判断された場合、前記第二特別遊技用カウンタの特別開放カウンタにおける大入賞口開閉カウンタの値に対応する大入賞口開放時間の設定が行われ（Ｓ１６０−６−７−５）、大入賞口開放コマンドが出力バッファに格納され（Ｓ１６０−６−７−６）、この大入賞口開閉設定処理（Ｓ１６０−６−７）が終了する。
【０１２１】
また、前記大当たり大入賞口開放処理（Ｓ１６０−６）のＳ１６０−６−２で大入賞口入賞個数が１０個以上と判断された場合、あるいは前記Ｓ１６０−６−３でラウンド時間経過と判断された場合、あるいはＳ１６０−６−６で大入賞口開閉カウンタの値が０と判断された場合には、大入賞口閉鎖時のデータ（大入賞口閉鎖１の時間）が設定され（Ｓ１６０−６−８）、特別動作ステータスが５にセットされ（Ｓ１６０−６−９）、この大当たり大入賞口開放処理（Ｓ１６０−６）が終了する。大入賞口閉鎖１の時間は、ラウンド中に大入賞口４５内での球詰まり等による遊技球検知の遅延時間（球掃け時間）である。
【０１２２】
特別動作ステータス５の場合に実行される大当たり大入賞口閉鎖１処理（Ｓ１６０−７）では、図２５に示すように、前記大当たり大入賞口開放処理（Ｓ１６０−６）で設定された大入賞口閉鎖１の時間が終了したか判断され（Ｓ１６０−７−１）、終了していない場合にはこの大入賞口大入賞口閉鎖１処理（Ｓ１６０−７）が終了する。一方、大入賞口閉鎖１の時間が終了した場合には、大入賞口完全閉鎖の各データ（大入賞口閉鎖２の時間）が設定され（Ｓ１６０−７−２）、特別動作ステータスが６にセットされ（Ｓ１６０−７−３）、この大当たり大入賞口開放処理（Ｓ１６０−６）が終了する。大入賞口閉鎖２の時間は、次のラウンドの設定を行う処理の時間となっている。なお、大入賞口閉鎖２の時間は、大入賞口閉鎖２の時間中に遊技球の入賞を検知した場合でも入賞を無効とする入賞無効時間となっている。
【０１２３】
特別動作ステータス６の場合に実行される大当たり大入賞口閉鎖２処理（Ｓ１６０−８）では、図２６に示すように、前記大当たり大入賞口閉鎖１処理（Ｓ１６０−７）で設定された大入賞口閉鎖２の時間が終了したか確認され（Ｓ１６０−８−１）、大入賞口閉鎖２の時間が終了していない場合には、この大当たり大入賞口閉鎖２処理（Ｓ１６０−８）が終了する。一方、大入賞口閉鎖２の時間が終了している場合にはラウンド有効回数（残りのラウンド回数）が０か確認され（Ｓ１６０−８−２）、ラウンド有効回数が０ではない場合、大入賞口動作Ｂ設定処理（Ｓ１６０−８−３）、ラウンド回数Ｂ設定処理（Ｓ１６０−８−４）、特別動作ステータスを４に設定する処理（Ｓ１６０−８−５）が、この順序で実行され、この大当たり大入賞口閉鎖２処理（Ｓ１６０−８）が終了する。
【０１２４】
前記大入賞口動作Ｂ設定処理（Ｓ１６０−８−３）では、ラウンド中における大入賞口４５の開閉動作が設定される。具体的には、図２７に示すように、大当たりの場合に実行される特別遊技の種類とラウンド回数に応じた特別開放カウンタ或いは通常開放カウンタがロードされ（Ｓ１６０−８−３−１）、次に特別開放カウンタ或いは通常開放カウンタに対応した大入賞口４５の開閉時間が設定され（Ｓ１６０−８−３−２）、この大入賞口動作Ｂ設定処理（Ｓ１６０−８−３）が終了する。
【０１２５】
ラウンド回数Ｂ設定処理（Ｓ１６０−８−４）では、図２８に示すように、前記表示装置１０に現在表示しているラウンド回数が１加算され（Ｓ１６０−８−４−１）、またラウンド有効回数（残りのラウンド回数）が１減算され（Ｓ１６０−８−４−２）、ラウンド数に対応するラウンド状態の時間（ラウンド時間）が設定され（Ｓ１６０−８−４−３）、ラウンド遊技開始（ラウンド遊技状態開始）コマンドが出力バッファに格納され（Ｓ１６０−８−４−４）、このラウンド回数Ｂ設定処理（Ｓ１６０−８−４）が終了する。
【０１２６】
一方、前記大当たり大入賞口閉鎖２処理（Ｓ１６０−８）におけるＳ１６０−８−２でラウンド有効回数（残りのラウンド回数）が０と判断されると、大当たりエンディングの各データ（大当たりエンディング時間等）が設定され（Ｓ１６０−８−６）、特別動作ステータスが７に設定され（Ｓ１６０−８−７）、その後大当たりエンディングコマンドが出力バッファに格納され（Ｓ１６０−８−８）、この大当たり大入賞口閉鎖２処理（Ｓ１６０−８）が終了する。前記Ｓ１６０−８−６で設定される大当たりエンディング時間は、特別遊技（大当たり遊技）終了後の各データの設定を行う時間となっている。
【０１２７】
特別動作ステータス７の場合に実行される大当たり終了処理（Ｓ１６０−９）では、図２９に示すように、前記大入賞口閉鎖２処理（Ｓ１６０−８）で設定された大当たりエンディング時間が終了したか確認され（Ｓ１６０−９−１）、大当たりエンディング時間が終了していない場合には、この大当たり終了処理（Ｓ１６０−９）が終了する。一方、大当たりエンディング時間が終了している場合には、大当たり終了後の各データの設定（大当たり遊技終了後の遊技状態）が行われる（Ｓ１６０−９−２）。大当たり終了後の各データの設定には、確変・非確変の設定、時短遊技有りの場合の時短回数セット、大当たりフラグＦ１の０にセット、ラウンド回数及び有効ラウンド回数の初期化、大入賞口開閉カウンタの初期化等がある。次に遊技状態コマンドが出力バッファにセットされ（Ｓ１６０−９−３）、その後に特別動作ステータスが０にセットされ（Ｓ１６０−９−４）、この大当たり終了処理（Ｓ１６０−９）が終了する。
【０１２８】
特別動作ステータス８の場合に実行される小当たり開始処理（Ｓ１６０−１０）では、小当たり遊技中の大入賞口４５の開閉の設定が行われる。図３０に示すように、前記特別図柄確定処理（Ｓ１６０−４）で設定された小当たりオープニング時間が終了したか確認され（Ｓ１６０−１０−１）、小当たりオープニング時間が終了していない場合には、この小当たり開始処理（Ｓ１６０−１０）が終了する。一方、小当たりオープニング時間が終了している場合には、大入賞口動作Ｃ設定処理（Ｓ１６０−１０−２）、小当たり開始コマンドを出力バッファに格納する処理（Ｓ１６０−１０−３）、特別動作ステータスを９にセットする処理（Ｓ１６０−１０−４）が、この順序で実行され、その後にこの小当たり開始処理（Ｓ１６０−１０）が終了する。
【０１２９】
前記大入賞口動作Ｃ設定処理（Ｓ１６０−１０−２）では、小当たり遊技中における大入賞口４５の開閉動作が設定される。具体的には、図３１に示すように、小当たりの場合の特別開放カウンタがロードされ（Ｓ１６０−１０−２−１）、次に小当たりの特別開放カウンタに対応した大入賞口４５の開閉時間が設定され（Ｓ１６０−１０−２−２）、この大入賞口動作Ｃ設定処理（Ｓ１６０−５−２）が終了する。
【０１３０】
特別動作ステータス９の場合に実行される小当たり大入賞口開放処理（Ｓ１６０−１１）では、図３２に示すように、まず大入賞口スイッチ検出Ｂ処理（Ｓ１６０−１１−１）が行われる。
大入賞口スイッチ検出Ｂ処理（Ｓ１６０−１１−１）では、図３３に示すように、大入賞口４５に遊技球が入賞して検出されたか確認され（Ｓ１６０−１１−１−１）、大入賞口４５への入賞が検出されていない場合には、この大入賞口スイッチ検出Ｂ処理（Ｓ１６０−１１−１）が終了する。一方、大入賞口４５への入賞が検出された場合には、大入賞口入賞個数が１加算され（Ｓ１６０−１１−１−２）、その後にこの大入賞口スイッチ検出Ｂ処理（Ｓ１６０−１１−１）が終了する。
【０１３１】
前記小当たり大入賞口開放処理Ｓ１６０−１１における前記大入賞口スイッチ検出Ｂ処理（Ｓ１６０−１１−１）の次に、大入賞口に１０個以上入賞したかの判断（Ｓ１６０−１１−２）と大入賞口開放時間（本実施例では１．５秒）が終了したかの判断（Ｓ１６０−１１−３）が行われ、大入賞口に１０個以上入賞または大入賞口開放時間終了の何れかの場合には、大入賞口閉鎖時間のデータ設定（Ｓ１６０−１１−４）が行われ、特別動作ステータスが１０にセットされ（Ｓ１６０−１１−５）、この小当たり大入賞口開放処理（Ｓ１６０−１１）が終了する。一方、大入賞口に１０個以上入賞と大入賞口開放時間（本実施例では１．５秒）終了のいずれでもない場合には、この小当たり大入賞口開放処理（Ｓ１６０−１１）が終了する。なお、前記大入賞口閉鎖時間は、前記大入賞口４５内での球詰まり等による遊技球検知の遅延時間（球掃け時間）である。
【０１３２】
特別動作ステータス１０の場合に実行される小当たり大入賞口閉鎖処理（Ｓ１６０−１２）では、図３４に示すように、前記小当たり大入賞口開放処理（Ｓ１６０−１１）で設定された大入賞口閉鎖時間が終了したか判断され（Ｓ１６０−１２−１）、終了していない場合にはこの大入賞口閉鎖処理（Ｓ１６０−１２）が終了する。一方、大入賞口閉鎖時間が終了している場合には、特別動作ステータスが１１にセットされ（Ｓ１６０−１２−２）、小当たりエンディングのデータ（小当たりエンディング時間）設定（Ｓ１６０−１２−３）、小当たりエンディングコマンドの出力バッファへの格納（Ｓ１６０−１２−４）が行われ、この小当たり大入賞口閉鎖処理（Ｓ１６０−１２）が終了する。なお、小当たりエンディング時間は、小当たり遊技終了後のデータ設定を行う時間であり、前記大入賞口閉鎖時間と共にエンディング処理時間（本実施例では４８．５秒）を構成する。
【０１３３】
特別動作ステータス１１の場合に実行される小当たり終了処理（Ｓ１６０−１３）では、図３５に示すように、前記小当たり大入賞口閉鎖処理（Ｓ１６０−１２）で設定された小当たりエンディング時間が終了したか判断され（Ｓ１６０−１３−１）、終了していない場合には、この小当たり終了処理（Ｓ１６０−１３）が終了する。一方、小当たりエンディング時間が終了している場合、小当たり終了後のデータ設定（小当たり終了後の遊技状態の設定、小当たりフラグＦ３＝０に設定）が行われる（Ｓ１６０−１３−２）。次に、遊技状態コマンドが出力バッファに格納され（Ｓ１６０−１３−３）、特別動作ステータスを０にセットする処理（Ｓ１６０−１３−４）が行われ、その後にこの小当たり終了処理（Ｓ１６０−１３）が終了する。
【０１３４】
前記特別動作処理（Ｓ１６０）の次に行われる保留球数処理（Ｓ１７０）では図３６に示すように保留球数がロードされ（Ｓ１７０−１）、保留球数が出力バッファにセットされる（Ｓ１７０−２）。
【０１３５】
次に行われる電源断監視処理（Ｓ１８０）では、図３７に示すように、電源断信号が入力したか判断され（Ｓ１８０−１）、入力していなければこの電源断監視処理（Ｓ１８０）が終了する。一方、電源断信号が入力している場合には、現在のデータ（状態）が前記主制御基板２００のＲＡＭに記憶され（Ｓ１８０−２）、次いで電源断フラグがＯＮにされ（Ｓ１８０−３）、その後ループ処理が行われる。
【０１３６】
その他の処理（Ｓ１９０）では、遊技に必要なその他の様々な処理が行われるが、本発明で特に関わりのない処理についての説明は省略する。
【０１３７】
前記サブ制御基板２０５が行う処理について説明する。前記サブ制御基板２０５が行うサブ制御メイン処理Ｊでは、図３８に示すように、遊技機１の電源投入時にサブ制御基板２０５においてＣＰＵ初期化処理が行われる（Ｓ２０１）。前記ＣＰＵ初期化処理（Ｓ２０１）では、スタックの設定、ＣＰＵの設定、ＳＩＯ、ＣＴＣの設定等が行われる。次に、電気信号がＯＮでＲＡＭの内容が正常か判断される（Ｓ２０２）。電源断信号がＯＮでなかったり、電源断信号がＯＮでＲＡＭの内容が正常でない場合など電源断信号の状態とＲＡＭの内容正常の両方を満たさない場合は、ＲＡＭの初期化が行われ（Ｓ２０３）、その後に割り込み禁止（Ｓ２０４）が行われ、割り込み処理が入ってきても、割り込み許可となるまで、割り込みを禁止する。一方、電源断信号ＯＮとＲＡＭの内容正常の両方を満たす場合には、ＲＡＭの初期化を行うことなく割り込み禁止（Ｓ２０４）が行われる。
【０１３８】
割り込み禁止（Ｓ２０４）の後、乱数シード更新処理（Ｓ２０５）、割り込み許可（Ｓ２０６）がループ処理で実行される。なお、電源投入時にのみ必要な処理は１巡目のみに実行され、２巡目以降は実行されないが周知であるので詳細は省略する。
前記乱数シード更新処理（Ｓ２０５）では、サブ制御基板（２０５）に設けられているカウンタの乱数を１加算して更新する処理が行われる。
前記割り込み許可（Ｓ２０６）では、割り込みの許可が行われる。前記ループ処理において、前記主制御基板２００からのコマンド（制御信号）受信時に外部ＩＮＴ割り込み処理（Ｓ３００）、また２ｍｓ毎の２ｍｓタイマ割り込み処理（Ｓ４００）、１０ｍｓ毎の１０ｍｓタイマ割り込み処理（Ｓ５００）が行われる。
【０１３９】
外部ＩＮＴ割り込み処理（Ｓ３００）では、図３９に示すように、前記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、前記主制御基板２００から出力されたコマンド（制御信号）の受信およびＲＡＭへの格納が行われる（Ｓ３０２）。それに対し、ストローブ信号がＯＮになっていなければ、その時点でこの外部ＩＮＴ割り込み処理（Ｓ３００）が終了する。
【０１４０】
２ｍｓタイマ割り込み処理（Ｓ４００）では、図４０に示すように、ランプデータ出力処理（Ｓ４０１）、ＳＷ／駆動出力処理（Ｓ４０２）、入力処理（Ｓ４０３）、ウォッチドッグタイマ処理（Ｓ４０４）が行われる。
ランプデータ出力処理（Ｓ４０１）では、後述の１０ｍｓタイマ割り込み処理（Ｓ５００）で作成されたランプのデータが出力される。
ＳＷ／駆動出力処理（Ｓ４０２）では、後述の１０ｍＳタイマ割り込み処理（Ｓ５００）で作成されたスイッチの有効期間及び動作の出力が行われる。
入力処理（Ｓ４０３）では、スイッチのエッジデータ及びレベルデータの作成が行われる。
ウォッチドッグタイマ処理（Ｓ４０４）では、ウォッチドッグタイマのリセット設定が行われる。
【０１４１】
１０ｍｓタイマ割り込み処理（Ｓ５００）では、図４１に示すように、スイッチ状態取得処理（Ｓ５０１）、音声制御処理（Ｓ５０２）、受信コマンド解析処理（Ｓ５０３）、ＳＷ処理（Ｓ５０４）、ランプ処理（Ｓ５０５）、コマンド送信処理（Ｓ５０６）が行われる。
【０１４２】
スイッチ状態取得処理（Ｓ５０１）では、２ｍｓタイマ割り込み処理（Ｓ４００）で作成されたスイッチデータが、１０ｍｓタイマ割り込み処理用のスイッチデータとして格納される。
音声制御処理（Ｓ５０２）では、前記スピーカ３８から発する音声のための処理が行われる。
【０１４３】
受信コマンド解析処理（Ｓ５０３）は、背景設定手段の処理と表示手段の処理（演出パターンと背景とを前記表示装置に表示する表示手段の処理）に相当し、前記外部ＩＮＴ割り込み処理（Ｓ３００）で受信した全コマンドに対して解析処理及び動作の設定が行なわれると共に、背景の設定と変更が行われる。前記受信コマンド解析処理（Ｓ５０３）では、図４２に示すように、まず受信したコマンドが変動態様に関するコマンド（変動態様コマンド）か（Ｓ５０３−１）、遊技状態に関するコマンド（遊技状態コマンド）か（Ｓ５０３−２）、電源立ち上げに関するコマンドか（Ｓ５０３−３）、あるいはその他のコマンドか判断される。
受信コマンドが電源立ち上げに関するコマンドの場合には、前記表示装置１０で特別図柄の変動中に表示する背景として通常背景が設定される（Ｓ５０３−４）。
【０１４４】
受信コマンドが遊技状態に関するコマンド（遊技状態コマンド）の場合には、背景設定処理（Ｓ５０３−５）が行われる。
背景設定処理（Ｓ５０３−５）では、図４３のように、受信した遊技状態コマンドが時短無しコマンドか確認される（Ｓ５０３−５−１）。時短無しコマンドの場合には、特典遊技判定手段の判定結果（確変か非確変）かに関わらず、大当たり遊技又は小当たり遊技終了後に表示装置１０で特別図柄の変動中に表示される背景が特殊背景に設定され（Ｓ５０３−５−２）、その後にこの背景設定処理（Ｓ５０３−５）が終了する。前記Ｓ５０３−２の処理は、特殊背景設定手段の処理に相当する。一方、受信した遊技状態コマンドが時短有りコマンドの場合には、大当たり終了後に表示装置１０で特別図柄の変動中に表示される背景がその他の背景（時短遊技専用の背景、第三の背景）に設定され（Ｓ５０３−５−３）、その後にこの背景設定処理（Ｓ５０３−５）が終了する。
【０１４５】
受信コマンドが変動態様に関するコマンドの場合には、背景変更処理（Ｓ５０３−６）と表示図柄設定処理（Ｓ５０３−７）が行われる。
背景変更処理（Ｓ５０３−６）では、現在の背景が特殊背景の時に、主制御基板２００から受信した変動態様コマンドの変動態様（演出パターン）が変動態様１或いは変動態様３（変動態様１は通常遊技状態時に大当たりフラグがONのときに選択される非共通演出パターンであり、変動態様３は通常遊技状態時にリーチ乱数がリーチ成立乱数値のときに選択される非共通演出パターン）であり、遊技状態が通常遊技状態に設定されている場合に、背景が特殊背景から連結背景に変更される。図４４に示すように背景変更処理（Ｓ５０３−６）では、まず主制御基板２００から受信した変動態様コマンドの変動態様が変動態様１或いは変動態様３か判断され（Ｓ５０３−６−１）、変動態様が変動態様１或いは変動態様３の場合には、現在の背景が特殊背景か判断される（Ｓ５０３−６−２）。現在設定されている背景が特殊背景ではないと判断された場合には、変動態様２、４、５、６に設定される特別図柄の表示態様は、図４７に示す背景例３のように特別図柄が背景の邪魔にならないため、背景を変更することなく現在の背景を維持してこの背景変更処理（Ｓ５０３−６）が終了する。一方、現在設定されている背景が特殊背景と判断された場合には、変動態様１或いは変動態様３に設定される特別図柄の表示態様は、図５０に示す背景例５のように特別図柄が特殊背景における流星等の表示を邪魔をして、背景と変動態様に齟齬が生じるため、受信した変動態様が表示装置１０に表示される今回の特別図柄の変動中の背景が連結背景に変更して設定され（Ｓ５０３−６−３）、その後にこの背景変更処理（Ｓ５０３−６）が終了する。Ｓ５０３−６−３は連結背景設定手段の処理に相当する。なお、連結背景は、連結背景を経て通常背景となるように構成されている。また、本実施例では、主制御基板は特典遊技判定手段の処理によって現在の遊技状態を認識する一方、サブ制御基板は主制御基板から遊技状態に関するコマンドを受信することで遊技状態を認識しているにも関わらず時短なしコマンドを受信した際に遊技状態に関わらず一旦通常背景から特殊背景に設定するように構成されている。そのため、特殊背景を表示している間は主制御基板とサブ制御基板の表示態様の認識に齟齬が生じる場合があるが、認識の齟齬から発生するコマンド（例えば変動態様コマンド）によって連結背景設定手段を制御することで違和感なく特殊背景から通常背景に変更し、主制御基板とサブ制御基板の表示態様の認識を合わせることが可能となる。
【０１４６】
前記Ｓ５０３−６−１で主制御基板２００から受信した変動態様コマンドの変動態様が変動態様１及び変動態様３の何れとも異なる、すなわち変動態様２（特典演出パターン）、変動態様４（共通演出パターン）、変動態様５（特典演出パターン）、変動態様６（特典演出パターン）の何れかと判断された場合、現在の遊技状態が通常遊技状態（非確変、特典無し）か確変遊技状態（特典遊技状態）の何れか判断され（Ｓ５０３−６−４）、現在の遊技状態が通常遊技状態（非確変、特典無し）の場合には、現在設定されている背景が特殊背景か否か判断される（Ｓ５０３−６−５）。現在設定されている背景が特殊背景の場合には背景抽選用カウンタに基づいて背景変更抽選処理（Ｓ５０３−６−６）が行われる。背景抽選用カウンタは‘０’〜‘３’の背景抽選用乱数を有し、前記サブ制御基板２０５に設けられ、前記サブ制御メイン処理の乱数シード更新処理（Ｓ２０５）において背景抽選用乱数が順次更新される。前記背景変更抽選処理（Ｓ５０３−６−６）では、前記背景抽選用乱数が取得され、取得された背景抽選用乱数値が所定値（例えば‘１’）の場合に当選とされる。前記背景変更抽選処理（Ｓ５０３−６−６）で当選した場合には、次回変動時の背景が通常背景に設定され、外れの場合には背景が特殊背景で維持され（Ｓ５０３−６−７）、その後にこの背景変更処理（Ｓ５０３−６）が終了する。一方、Ｓ５０３−６−４で現在の遊技状態が確変遊技状態（特典遊技状態）と判断された場合、あるいはＳ５０３−６−５で現在設定されている背景が特殊背景とは異なると判断された場合には、この背景変更処理（Ｓ５０３−６）が終了する。
【０１４７】
前記背景変更処理（Ｓ５０３−６）の次に行われる表示図柄設定処理（Ｓ５０３−７）では、変動態様（演出パターン）に設定されている特別図柄（識別情報）の表示態様（例えば、特別図柄のサイズ、特別図柄の装飾等からなる見た目の外見、本実施例では特別図柄のサイズ）に応じて特別図柄の外見（種類）が設定される。図４５のように、まず、受信した変動態様コマンドの変動態様が変動態様１又は３（何れも非共通演出パターン）、或いは変動態様２、５、６（何れも特典演出パターン）、又は変動態様４（共通演出パターン）の何れか判断される（Ｓ５０３−７−１、Ｓ５０３−７−２）。受信した変動態様コマンドの変動態様が変動態様１又は３（何れも非共通演出パターン）の場合には通常図柄（本実施例では特別図柄のサイズが大）に設定され（Ｓ５０３−７−３）、一方、受信した変動態様コマンドの変動態様が変動態様２、５、６（何れも特典演出パターン）の何れか場合には、特典図柄（本実施例では特別図柄のサイズが小）に設定され（Ｓ５０３−７−４）、また、受信した変動態様コマンドの変動態様が変動態様４（共通演出パターン）の場合には、共通図柄（本実施例では特別図柄のサイズが特典図柄と同じサイズの小）に設定され（Ｓ５０３−７−５）、その後にこの表示図柄設定処理（Ｓ５０３−７）が終了する。
なお、受信したコマンドがその他のコマンドの場合には、受信コマンドに応じてその他の設定が行われる（Ｓ５０３−８）。
【０１４８】
このように、本実施例では表示図柄設定処理（Ｓ５０３−７）において特別図柄の表示態様（外見、種類）を変動態様に対応して決定し、また、主制御基板２００から受信した変動コマンドの変動態様に応じて前記背景変更処理（Ｓ５０３−６）で背景を変更しているため、特別図柄の表示態様と背景の表示態様とで齟齬の発生を防ぐことが可能となる。
【０１４９】
なお、本発明は前記実施例に限定されるものではなく、本発明の趣旨を逸脱しない範囲で変更されるものである。例えば、前記背景を他の画像としたり、前記表示図柄設定処理をサブ制御基板に代えて主制御基板で行うようにしてもよい。
また、本実施例では、演出パターンとして特別図柄の変動態様及び表示態様を示しているが、背景と共に表示されるものであればよく、例えば特別図柄とは異なる図柄や予告等で演出パターンを構成してもよい。
また、本実施例の連結背景は、夜の背景から昼の背景へ違和感なく変更するために日の出の背景を用いているが、他の連結背景例としては表示装置の画面がフェードアウトするような背景や、表示装置に絵や文字が表示されない背景を連結背景として用いてもよく、通常背景から特殊背景或いは特殊背景から通常背景へ変更する際に違和感が生じない範囲で連結背景を適宜変更可能とする。
【符号の説明】
【０１５０】
１  遊技機
２  遊技盤
１０  表示装置
４１  上側始動入賞口
４２  下側始動入賞口
４５  大入賞口
４６  大入賞口の開閉板
６４  発射装置
【図１】
0005296178.tif 000002
【図２】
0005296178.tif 000003
【図３】
0005296178.tif 000004
【図４】
0005296178.tif 000005
【図５】
0005296178.tif 000006
【図６】
0005296178.tif 000007
【図７】
0005296178.tif 000008
【図８】
0005296178.tif 000009
【図９】
0005296178.tif 000010
【図１０】
0005296178.tif 000011
【図１１】
0005296178.tif 000012
【図１２】
0005296178.tif 000013
【図１３】
0005296178.tif 000014
【図１４】
0005296178.tif 000015
【図１５】
0005296178.tif 000016
【図１６】
0005296178.tif 000017
【図１７】
0005296178.tif 000018
【図１８】
0005296178.tif 000019
【図１９】
0005296178.tif 000020
【図２０】
0005296178.tif 000021
【図２１】
0005296178.tif 000022
【図２２】
0005296178.tif 000023
【図２３】
0005296178.tif 000024
【図２４】
0005296178.tif 000025
【図２５】
0005296178.tif 000026
【図２６】
0005296178.tif 000027
【図２７】
0005296178.tif 000028
【図２８】
0005296178.tif 000029
【図２９】
0005296178.tif 000030
【図３０】
0005296178.tif 000031
【図３１】
0005296178.tif 000032
【図３２】
0005296178.tif 000033
【図３３】
0005296178.tif 000034
【図３４】
0005296178.tif 000035
【図３５】
0005296178.tif 000036
【図３６】
0005296178.tif 000037
【図３７】
0005296178.tif 000038
【図３８】
0005296178.tif 000039
【図３９】
0005296178.tif 000040
【図４０】
0005296178.tif 000041
【図４１】
0005296178.tif 000042
【図４２】
0005296178.tif 000043
【図４３】
0005296178.tif 000044
【図４４】
0005296178.tif 000045
【図４５】
0005296178.tif 000046
【図４６】
0005296178.tif 000047
【図４７】
0005296178.tif 000048
【図４８】
0005296178.tif 000049
【図４９】
0005296178.tif 000050
【図５０】
0005296178.tif 000051